(57)【特許請求の範囲】
【請求項１】
ユーザ機器（ＵＥ）の装置であって、前記装置は、１又は複数のプロセッサとメモリとの制御下で、ｅＮＢ（enhanced  Node  B）との低遅延同期を達成し、前記装置は、
いずれかの物理アップリンク共有チャネル（ＰＵＳＣＨ）がアイドルであるかどうかを、所定時間期間の間、感知し、
ＰＵＳＣＨ送信の中でユニークなＵＥ  ＩＤを提供し、
アップリンク同期のために、前記ｅＮＢとの無競合通信のための前記アイドルなＰＵＳＣＨのうちの１つで前記ＰＵＳＣＨ送信を通信する、
よう構成され、
前記装置は、
現在送信試行が不成功かどうかを感知し、前記ＵＥは、次の送信試行、例えば後続サブフレームの中で新しいバックオフカウンタを再生成することにより、クリアチャネル評価（ＣＣＡ）及び拡張クリアチャネル評価（ＥＣＣＡ）で構成されるリッスンビフォートーク手順を実行し、
特定数のシンボルＭについて、シンボル０で開始するリッスンビフォートーク手順を実行し、前記ＰＵＳＣＨ送信は、サブフレームの中でシンボルＭ＋１から開始し所定シンボルで終了し、Ｍは正整数であり、サウンディング参照信号（ＳＲＳ）は前記所定シンボルで送信され、前記所定シンボルのパンクチャリングは除去される、
ように更に構成される装置。
【請求項２】
前記装置は、アップリンク同期スケジューリングを伴わず、前記ｅＮＢとの前記アイドルなＰＵＳＣＨのうちの１つで前記ＰＵＳＣＨ送信を通信するよう更に構成される、請求項１に記載の装置。
【請求項３】
前記装置は、感知したエネルギが閾値より低い場合に、ＰＵＳＣＨがアイドルであると感知するよう更に構成される、請求項１に記載の装置。
【請求項４】
前記装置は、前記ＵＥに知られている複数の感知粒度スリットについて、前記ＣＣＡ又は前記ＥＣＣＡを実行するよう、又は前記ｅＮＢにシグナリングすることにより前記ＣＣＡ又は前記ＥＣＣＡを実行するよう更に構成される、請求項１に記載の装置。
【請求項５】
前記装置は、前記ＣＣＡ又は前記ＥＣＣＡの間に前記ＰＵＳＣＨのいずれかがアイドルであるかどうかを感知するよう更に構成され、前記ＣＣＡ又は前記ＥＣＣＡの期間は最小感知粒度に基づく、請求項１又は４に記載の装置。
【請求項６】
前記装置は、感知したエネルギが、前記ＣＣＡ又は前記ＥＣＣＡの前記期間の間、閾値より低い場合に、ＰＵＳＣＨがアイドルであると感知するよう更に構成される、請求項５に記載の装置。
【請求項７】
前記装置は、
複数の感知粒度スリットに渡り前記ＥＣＣＡを実行し、前記ＥＣＣＡが及ぶ前記複数の感知粒度スリットの数は、競合ウインドウ（ＣＷ）により決定され、
バックオフカウンタとして決定される１から前記ＥＣＣＡが及ぶ前記ＣＷにより決定された前記複数の感知粒度スリットの数までの乱数を生成することにより、前記複数の感知粒度スリットの数を決定し、
ＰＵＳＣＨがアイドルであると感知される度に、前記ＥＣＣＡが及ぶ前記複数の感知粒度スリットの数を減少させる、
よう更に構成される、請求項１又は５に記載の装置。
【請求項８】
前記装置は、
前記ＰＵＳＣＨがアイドルであると感知される度に、ＥＣＣＡカウンタを１の倍数で減少させ、
送信のために、シンボル境界に揃うように予約信号を処理し、又は、
送信のために、次のシンボルを開始するよう前記予約信号を処理する、
よう更に構成される、請求項１又は７に記載の装置。
【請求項９】
前記装置は、
現在送信試行が不成功かどうかを感知するよう更に構成され、前記ＵＥは、新しい乱数
を生成せずに、ＥＣＣＡカウンタの現在カウンタを用いて、後続サブフレームで前記ＥＣＣＡを実行し続ける、
請求項８に記載の装置。
【請求項１０】
前記装置は、前記ＰＵＳＣＨ送信を通信するために、アイドルである前記ＰＵＳＣＨのうちの１つを予約するよう更に構成される、請求項１に記載の装置。
【請求項１１】
前記ユニークなＵＥ  ＩＤは、セル無線ネットワーク一時識別子（Ｃ−ＲＮＴＩ）又は無線ネットワーク一時識別子（ＲＮＴＩ）のうちの１つである、請求項１又は１０に記載の装置。
【請求項１２】
前記ＰＵＳＣＨ送信の通信は、前記ＵＥの媒体アクセス制御（ＭＡＣ）バッファにＵＬパケットが到着すると、実行される、請求項１に記載の装置。
【請求項１３】
前記ＰＵＳＣＨ送信は、リソースブロック内のサブキャリアに対応する複数のシンボルで構成され、前記装置は、前記ＰＵＳＣＨがアイドルであることを感知するために前記複数のシンボルのうちの少なくとも１つを使用し、前記ＰＵＳＣＨ送信のために前記複数のシンボルのうちの残りの数を使用するよう更に構成される、請求項１又は１２に記載の装置。
【請求項１４】
前記装置は、前記ＰＵＳＣＨ送信のために変調符号化方式（ＭＣＳ）を使用するよう更に構成され、前記ＭＣＳは最低ＭＳＣにより予め定められる、請求項１に記載の装置。
【請求項１５】
前記装置は、前記ＰＵＳＣＨがアイドルであると感知するためにプリアンブルシグナリングを使用するよう更に構成される、請求項１又は１４に記載の装置。
【請求項１６】
前記装置は、前記ＰＵＳＣＨがアイドルであると感知するために、追加プリアンブル信号を使用するよう更に構成され、前記追加プリアンブル信号は、無線ネットワーク一時識別子（ＲＮＴＩ）又は及び復調のためのＤＭＲＳ信号を含み、前記ＤＭＲＳ信号はＰＵＳＣＨ送信バーストの間、除去される、請求項１に記載の装置。
【請求項１７】
前記装置は、ハイブリッド自動再送要求（ＨＡＲＱ）動作の中で前記ＰＵＳＣＨ送信を通信するよう更に構成される、請求項１又は１６に記載の装置。
【請求項１８】
前記装置は、前記ＵＥが物理ＨＡＲＱ指示チャネル（ＰＨＩＣＨ）の中で否定応答（ＮＡＣＫ）を受信すると、再送のために、前記ＰＵＳＣＨ送信を処理するよう更に構成される、請求項１７に記載の装置。
【請求項１９】
前記ＰＵＳＣＨ送信の前記再送は、ＵＬ許可に基づく又は前記ＵＬ許可の中でトグルする新規データ指示子（ＮＤＩ）に基づく、請求項１８に記載の装置。
【請求項２０】
前記装置は、構成された時間又は周波数領域の中で前記ＰＵＳＣＨ送信を通信するよう更に構成される、請求項１に記載の装置。
【請求項２１】
前記装置は、代替ＵＥから前記ＵＥを、異なる競合ウインドウを有する異なる競合ゾーンに適応して分けるよう更に構成され、前記競合ゾーンの各々は遅延制約に従い動的に又は準静的に適応される、請求項１又は２０に記載の装置。
【請求項２２】
前記装置は、アンテナ、タッチ感応ディスプレイスクリーン、スピーカ、マイクロフォン、グラフィックプロセッサ、アプリケーションプロセッサ、ベースバンドプロセッサ、内部メモリ、不揮発性メモリポート及びそれらの組合せのうちの少なくとも１つを有する、請求項１に記載の装置。
【請求項２３】
ユーザ機器（ＵＥ）との無競合アップリンク（ＵＬ）同期動作の可能なアンカーｅＮＢ（enhanced  Node  B）の装置であって、前記装置は、
所定時間期間の間のアイドルな物理アップリンク共有チャネル（ＰＵＳＣＨ）の感知に続き、前記ＵＥから受信したＰＵＳＣＨ送信を処理し、
前記ｅＮＢにより受信した前記ＰＵＳＣＨ送信の中のユニークなＵＥ  ＩＤを処理し、
前記無競合ＵＬ同期のために、前記ＰＵＳＣＨ送信の中の前記ユニークなＵＥ  ＩＤにより前記ＵＥのアイデンティティを決定する、
よう構成され、
前記ＰＵＳＣＨ送信は、サブフレームの中でシンボルＭ＋１から開始し所定シンボルで終了し、Ｍはリッスンビフォートーク手順のための前記ＵＥにより用いられる複数のシンボルに対応する正整数であり、サウンディング参照信号（ＳＲＳ）は前記所定シンボルで送信され、前記所定シンボルのパンクチャリングは除去される、
装置。
【請求項２４】
前記装置は、復調参照信号（ＤＭＲＳ）に基づき、ブラインドＵＥ検出を実行するよう更に構成される、請求項２３に記載の装置。
【請求項２５】
前記装置は、一定振幅ゼロ自己相関波形（ＣＡＺＡＣ）シーケンスを用いて復調参照信号（ＤＭＲＳ）シーケンスを生成するよう更に構成され、前記ＣＡＺＡＣシーケンスはＺａｄｏｆｆ−Ｃｈｕ（ＺＣ）シーケンスである、請求項２３又は２４に記載の装置。
【請求項２６】
前記装置は、ＵＬ同期スケジューリングを伴わず、前記ＵＥからの前記アイドルなＰＵＳＣＨのうちの１つで受信された前記ＰＵＳＣＨ送信を処理するよう更に構成される、請求項２３に記載の装置。
【請求項２７】
前記装置は、前記ＰＵＳＣＨ送信を受信するために、アイドルである複数のＰＵＳＣＨのうちの１つを予約する、前記ＵＥから受信された予約信号を処理するよう更に構成される、請求項２３又は２６に記載の装置。
【請求項２８】
前記装置は、前記ＵＥの媒体アクセス制御（ＭＡＣ）バッファにＵＬパケットが到着すると、前記ＵＥから受信した前記ＰＵＳＣＨ送信を処理するよう更に構成される、請求項２３に記載の装置。
【請求項２９】
前記装置は、
前記ＰＵＳＣＨ送信のために変調符号化方式（ＭＣＳ）を使用し、前記ＭＣＳは、最低ＭＣＳにより予め定められ、
ハイブリッド自動再送要求（ＨＡＲＱ）動作の中で受信した前記ＰＵＳＣＨ送信を処理し、
前記ＰＵＳＣＨ送信を再送信するよう前記ＵＥをトリガするために、送信のために、前記ＵＥへの物理ＨＡＲＱ指示チャネルの中の否定応答（ＮＡＣＫ）を処理する、
よう更に構成される、請求項２３又は２８に記載の装置。
【請求項３０】
前記装置は、
前記ＰＵＳＣＨ送信の前記再送信のために、送信のために、前記ＵＥへのＵＬ許可又は前記ＵＬ許可の中でトグルする新規データ指示子（ＮＤＩ）を処理し、
構成された時間又は周波数領域の中で受信した前記ＰＵＳＣＨ送信を処理し、
前記ＰＵＳＣＨ送信の受信に成功するために異なる競合ウインドウを有する新しい競合ゾーンを生成すること又は現在使用される競合ゾーンを減少させることにより、前記ＵＥと代替ＵＥとの間のセル衝突を決定すると、競合ウインドウを動的に又は準静的に適応し又は割り当てる、
よう更に構成される、請求項２３又は２８に記載の装置。
【請求項３１】
ユーザ機器（ＵＥ）との無競合アップリンク（ＵＬ）同期動作の可能なアンカーｅＮＢ（enhanced  Node  B）の装置であって、前記装置は、
所定時間期間の間のアイドル物理アップリンク共有チャネル（ＰＵＳＣＨ）感知に続き、前記ＵＥから受信したＰＵＳＣＨ送信を処理し、
前記ｅＮＢにより受信した前記ＰＵＳＣＨ送信の中のユニークなＵＥ  ＩＤを処理し、
前記無競合ＵＬ同期のために、前記ＰＵＳＣＨ送信の中の前記ユニークなＵＥ  ＩＤにより前記ＵＥのアイデンティティを決定し、
復調参照信号（ＤＭＲＳ）に基づきブラインドＵＥ検出を実行する、
よう構成され、
前記ＰＵＳＣＨ送信は、サブフレームの中でシンボルＭ＋１から開始し所定シンボルで終了し、Ｍはリッスンビフォートーク手順のための前記ＵＥにより用いられる複数のシンボルに対応する正整数であり、サウンディング参照信号（ＳＲＳ）は前記所定シンボルで送信され、前記所定シンボルのパンクチャリングは除去される、
装置。
【請求項３２】
前記所定シンボルは、シンボル１４である、請求項１に記載の装置。
【請求項３３】
前記所定シンボルは、シンボル１４である、請求項２３に記載の装置。
【請求項３４】
前記所定シンボルは、シンボル１４である、請求項３１に記載の装置。
【発明の詳細な説明】
【背景技術】
【０００１】
無線モバイル通信技術は、種々の規格及びプロトコルを用いて、ノード（例えば、送信局）と無線装置（例えば、モバイル装置）との間でデータを伝送する。幾つかの無線装置は、ダウンリンク（ＤＬ）送信でＯＦＤＭＡ（orthogonal  frequency−division  multiple  access）を、アップリンク（ＵＬ）送信でＳＣ−ＦＤＭＡ（single  carrier  frequency  division  multiple  access）を用いて通信する。信号送信のためにＯＦＤＭ（orthogonal  frequency−division  multiplexing）を用いる規格及びプロトコルは、３ＧＰＰ（third  generation  partnership  project）ＬＴＥ（long  term  evolution）、ＷｉＭＡＸ（Worldwide  interoperability  for  Microwave  Access）として業界団体に一般に知られているＩＥＥＥ（Institute  of  Electrical  and  Electronics  Engineers）８０２．１６標準（例えば、８０２．１６ｅ、８０２．１６ｍ）、及びＷｉＦｉとして業界団体に一般に知られているＩＥＥＥ８０２．１１標準を含む。
【０００２】
３ＧＰＰ  ＲＡＮ（radio  access  network）ＬＴＥシステムでは、ノードは、Ｅ−ＵＴＲＡＮ（Evolved  Universal  Terrestrial  Radio  Access  Network）ＮｏｄｅＢ（evolved  Node  B、enhanced  Node  B、eNodeB、又はeNBとしても一般的に表記される）と、ユーザ機器（ＵＥ）として知られる無線装置と通信するＲＮＣ（Radio  Network  Controllers）との組合せであって良い。ダウンリンク（ＤＬ）送信は、ノード（例えば、eNB）から無線装置（例えば、ＵＥ）への通信であって良い。また、アップリンク（ＵＬ）送信は、無線装置からノードへの通信であって良い。
【０００３】
ＬＴＥでは、データは、ｅＮＢからＵＥへ、物理ダウンリンク共有チャネル（physical  downlink  shared  channel：ＰＤＳＣＨ）を介して送信され得る。物理アップリンク制御チャネル（physical  uplink  control  channel：ＰＵＣＣＨ）は、データが受信されたことの肯定応答のために使用され得る。ダウンリンク及びアップリンクチャネル又は送信は、ＴＤＤ（time−division  duplexing）又はＦＤＤ（frequency−division  duplexing）を用いることができる。
【０００４】
３ＧＰＰ  ＬＴＥ通信の無線遅延は、通信種類に依存して、数十ミリ秒程度であり得る。この遅延は、音声通信及びオーディオ／ビデオ通信では差し支えない。しかしながら、現在の３ＧＰＰ  ＬＴＥシステムの遅延は、将来の５Ｇシステムに貢献できない場合がある。
【図面の簡単な説明】
【０００５】
本開示の特徴及び利点は、例として本開示の特徴を共に図示する添付の図面と関連する以下の詳細な説明から明らかである。
【図１】一例によるＬＴＥ動作ゾーンの中の装置間（Ｄ２Ｄ）発見ゾーンを示す。
【図２】一例によるレガシ物理ダウンリンク制御チャネル（ＰＤＣＣＨ）を含むダウンリンク（ＤＬ）送信の無線フレームリソース（例えば、リソースグリッド）の図を示す。
【図３】本発明の技術の一実施形態によるリッスンビフォートーク（listen  before  talk：ＬＢＴ）に基づく物理アップリンク共有制御チャネル（ＰＵＳＣＨ）送信のフレーム設計を示す。
【図４】本発明の技術の一実施形態によるリッスンビフォートーク（listen  before  talk：ＬＢＴ）に基づく物理アップリンク共有制御チャネル（ＰＵＳＣＨ）送信のサブフレーム設計を示す。
【図５】本発明の技術の一実施形態によるサブフレームレベルの合計時間間隔（total  time  interval：ＴＴＩ）を有するリッスンビフォートーク（listen  before  talk：ＬＢＴ）に基づく物理アップリンク共有制御チャネル（ＰＵＳＣＨ）送信の設計を示す。
【図６】本発明の技術の一実施形態によるプリアンブルシグナリングを有するリッスンビフォートーク（listen  before  talk：ＬＢＴ）に基づく物理アップリンク共有制御チャネル（ＰＵＳＣＨ）送信の設計を示す。
【図７】本発明の技術の一実施形態によるＬＴＢ競合ゾーンを有するリッスンビフォートーク（listen  before  talk：ＬＢＴ）に基づく物理アップリンク共有制御チャネル（ＰＵＳＣＨ）送信の設計を示す。
【図８】本発明の技術の一実施形態によるユーザ機器（ＵＥ）とアンカーｅＮＢ（enhanced  Node  B）との間の低遅延を達成する方法のフローチャートを示す。
【図９】本発明の技術の一実施形態によるアンカーｅＮＢ（enhanced  Node  B）とユーザ機器（ＵＥ）との間の無競合アップリンク（ＵＬ）同期を達成する更なる方法のフローチャートを示す。
【図１０】一例による、無線装置（例えば、ＵＥ）の図を示す。
【図１１】一例による、無線装置（例えば、ユーザ機器（ＵＥ））の例示的コンポーネントの図を示す。
【図１２】一例による、ノード（例えば、ｅＮＢ）及び無線装置（例えば、ＵＥ）の図を示す。  以下では、図示の例示的な実施形態を参照し、本願明細書ではそれらを説明するために固有の言語が用いられる。しかしながら、それにより本技術の範囲の如何なる限定も意図されないことが理解されるだろう。
【発明を実施するための形態】
【０００６】
本技術が開示され説明される前に、本技術は本願明細書に開示される特定の構造、処理動作又は材料に限定されず、関連分野の当業者により認識されるように、それらの等価物にまで拡張されることが理解されるべきである。本願明細書で用いられる用語は、特定の例を説明することのみを目的としており、限定を目的としていないことが理解されるべきである。異なる図中の同じ参照符号は、同じ要素を表す。フローチャート及び処理中に提供される数値は、動作及び動作を説明する際に明確性のために提供されるものであり、必ずしも特定の順序又は配列を示さない。
【０００７】
＜例示的な実施形態＞
以下に、技術的実施形態の最初の概略が提供され、次に特定の技術的実施形態が詳細に説明される。この最初の概要は、読者が技術をより迅速に理解するのを助けることを目的としており、技術の主要な特徴又は基本的特徴を特定することを意図せず、あるいは請求される主題の範囲を限定することを意図しない。
【０００８】
３ＧＰＰ無線アクセスネットワーク（radio  access  network：ＲＡＮ）ＬＴＥシステムの無線インタフェース遅延を低減することは、高度無線通信システムにおいて新しいサービスを可能にするため及び既存技術の性能を向上するために不可欠である。例えば、来る５Ｇ  ３ＧＰＰ無線アクセスネットワーク（ＲＡＮ）ＬＴＥシステムの往復時間（round  trip  time：ＲＴＴ）無線インタフェース遅延目標を１ｍｓ（ミリ秒）にまで低減することは、新しいサービスを許容し、既存技術の性能を向上できる。１ｍｓのＲＴＴは、３ＧＰＰ  ＬＴＥ  Ｒｅｌ．１２により現在サポートできるものより有意に低い。したがって、データプレーン遅延を５Ｇ  ３ＧＰＰ無線アクセスネットワーク（ＲＡＮ）ＬＴＥシステム制約に近い値にまで低減するための１つの選択肢は、３ＧＰＰ無線アクセスネットワーク（ＲＡＮ）ＬＴＥシステムで現在１ｍｓである送信の合計時間間隔（total  time  interval：ＴＴＩ）を低減することである。しかしながら、ＲＴＴデータプレーン遅延制約は、全体のエンドエンド遅延の削減を達成することを保証しない。具体的には、アップリンク送信では、アイドル状態における制御プレーン（Ｃプレーン）遅延は、小さなパケットの送信では合計遅延の中心である。ＵＥがアイドル状態であるとき、ＵＥは、無線リソース制御（radio  resource  control：ＲＲＣ）接続を有しない。Ｃプレーン遅延は、アイドル状態からアクティブ状態に遷移するためのＵＥ（ユーザ機器）の時間として測定できる。
【０００９】
したがって、本発明の技術は、Ｃプレーン遅延を低減し及び許可無しＰＵＳＣＨ送信を提供することを目的として、リッスンビフォートーク（ＬＢＴ）に基づく物理アップリンク共有制御チャネル（ＰＵＳＣＨ）送信を用いるソリューションを提供する。
【００１０】
一態様では、本発明の技術は、遅延の低減及びアップリンクＰＵＳＣＨ送信の中での低遅延送信のための手順を提供する。一態様では、低遅延は、３ＧＰＰ  ＬＴＥ  Ｒｅｌ．８、９、２０、１１又は１２における現在の３ＧＰＰ無線アクセスネットワーク（radio  access  network：ＲＡＮ）ＬＴＥシステム設計のスケジューリング許可制約を除去することにより達成でき、一方でＰＵＳＣＨ送信はキャリアセンシングに基づく。一例では、本技術では周波数分割多重（frequency−division  duplexing：ＦＤＤ）構成が検討され使用され得る。他の態様では、留意すべきことに、本技術は、ＲＲＣ非接続モード（つまり、アイドル）及び／又は時分割多重（time−division  duplexing：ＴＤＤ）構成で使用され得る。ＵＥがアンカーｅＮＢと時間周波数同期されると想定できる。
【００１１】
一態様では、ＬＢＴに基づくＰＵＳＣＨ送信は、競合に基づくＰＵＳＣＨ送信として分類できる。ここで、各ＵＥは、割り当てられたリソースで送信する前の指定期間の間、チャネル（又は媒体）を感知できる。チャネルがアイドルであると感知された場合、無線装置（例えばＵＥ）は、アイドルとして感知された割り当てられたリソースのみで送信することを許可される。したがって、本技術は、ｅＮＢからのいかなる関与も伴わず（つまり、ｅＮＢから受信されるＵＬ許可無しに）、ＵＥがデータを直接送信することを可能にする。それにより、遅延を削減する。留意すべきことに、衝突確率の低減は、特に２以上のＵＥが同時に送信しないとき、慎重な検討を必要とし得る。それにより、ＰＵＳＣＨ送信におけるエラーを低減する。一例では、ｅＮＢがどのＵＥからＰＵＳＣＨ送信が送信されたかを決定するために、ＵＥ識別（ＩＤ）がＰＵＳＣＨ送信に含まれ又はＰＵＳＣＨ送信の外部に含まれ得る。ＵＥ  ＩＤは、セル無線ネットワーク一時識別子（cell  radio  network  transmission  identity：Ｃ−ＲＮＴＩ）又は新しい種類のＲＮＴＩであり得る。ＲＮＴＩは、アップリンク（ＵＬ）共有チャネル（ＳＣＨ）（ＵＬ−ＳＣＨ）の一部として符号化でき、及び／又はＵＬ−ＳＣＨに対して巡回冗長検査（ＣＲＣ）上でマスクされ得る。
【００１２】
一態様では、本技術は、リッスンビフォートーク（ＬＢＴ）手順を用いる無競合物理アップリンク共有制御チャネル（ＰＵＳＣＨ）送信を提供する。一例では、ユーザ機器（ＵＥ）の装置は、１又は複数のプロセッサを有する回路であって、前記回路は、所定時間期間の間、アップリンク（ＵＬ）同期のためにアンカーｅＮＢとの、いずれかの物理アップリンク共有チャネル（ＰＵＳＣＨ）がアイドルであるかどうかを感知することにより、アンカーｅＮＢ（enhanced  Node  B）との低遅延同期を達成し、ＰＵＳＣＨ送信の中でユニークなＵＥ  ＩＤを提供し、及び／又はアップリンク同期のためにアンカーｅＮＢとの無競合通信のためにアイドルＰＵＳＣＨのうちの１つでＰＵＳＣＨ送信を通信する、よう構成される。
【００１３】
追加の技術は、アンカーｅＮＢ（enhanced  Node  B）とユーザ機器（ＵＥ）との間の無競合アップリンク（ＵＬ）同期を提供する。１又は複数のプロセッサを有する回路を備えるアンカーｅＮＢは、ＵＥが所定時間期間の間に、アンカーｅＮＢとのＰＵＳＣＨがアイドルであるか否かを感知することに続き、ＵＥからＵＬ同期のための物理アップリンク共有チャネル（ＰＵＳＣＨ）送信を受信できる。ｅＮＢ回路は、さらに、ＰＵＳＣＨ送信の中でユニークなＵＥ  ＩＤを受信し、及び／又は無競合ＵＬ同期のためのＬＢＴ  ＣＨ送信によるＰＵＳＣＨ送信のためのＰＵＳＣＨサブフレーム設計の中のユニークなＵＥ  ＩＤにより、ＵＥのアイデンティティを決定できる。
【００１４】
図１は、例示的なアンカーブースタネットワークアーキテクチャ１００を示す。アンカーブースタネットワークアーキテクチャ１００は、異種ネットワークの形式である。アンカーブースタネットワークアーキテクチャ１００は、ｍｍＷａｖｅスモールｅＮＢ又はアンカー型の低電力（つまりスモール）ｅＮＢのような、少なくとも１つのアンカーｅＮＢ（evolved  node  B）１０４と、少なくとも１つのブースタｅＮＢ１０６と、を含み得る。アンカーｅＮＢ１０４は、アンカーセル、マクロセル又はプライマリセルに関連付けられ得る。ブースタｅＮＢ１０６は、ブースタセル、スモールセル又はセカンダリセルに関連付けられ得る。ブースタｅＮＢ１０６は、アンカーｅＮＢ１０４と同じ又は異なる周波数帯で動作し得る。
【００１５】
アンカーｅＮＢ１０４は、比較的大きな地理的領域に渡るカバレッジ及び接続性のために、高送信電力ｅＮＢであり得る。例えば、アンカーｅＮＢは、１乃至１０キロメートル又はそれより大きな半径を有するセルをカバーして良い。アンカーｅＮＢ１０４のカバレッジは通常、ブースタｅＮＢ１０６のカバレッジよりも広いので、アンカーｅＮＢ１０４は、ＵＥの移動性に責任がある。アンカーｅＮＢ１０４は、ＵＥと制御情報を通信する責任もある。一実施形態では、制御情報は、無線リソース制御（radio  resource  control：ＲＲＣ）シグナリングを用いて通信できる。
【００１６】
ブースタｅＮＢ１０６は、トラフィックオフロード（つまり、データ送信をオフロードする）及びサービス品質（ＱｏＳ）向上のための低送信電力ｅＮＢであり得る。例えば、ブースタｅＮＢは、数十メートル乃至数百メートルの半径を有するセルをカバーして良い。アンカーｅＮＢ１０４及びブースタｅＮＢ１０６は、両方とも、所望のＱｏＳに依存してパケットデータを提供できる。例えば、アンカーｅＮＢ１０４は、ＶｏＩＰ（Voice  over  IP）のような遅延に敏感なデータを提供でき、一方で、ブースタｅＮＢ１０６は、ファイル転送プロトコル（ＦＴＰ）を用いて通信されるデータ又は他の種類の遅延耐性データのような遅延耐性のあるデータを提供できる。
【００１７】
移動性ロバストネスを保証し、ＱｏＳ性能を満たし、及びアンカーｅＮＢ１０４とブースタｅＮＢ１０６との間のトラフィック負荷の平衡を保つために、ユーザ機器（ＵＥ）１０８は、ブースタｅＮＢ１０６及びアンカーｅＮＢ１０４の両方によりサポートされ得る。言い換えると、ＵＥはブースタｅＮＢ１０６及びアンカーｅＮＢ１０４の両方によりサービスされ得るので、ＵＥ１０８は、二重接続性をサポートできる。このような二重接続性により、アンカーｅＮＢ１０４は、制御プレーンシグナリング及び遅延に敏感なトラフィックを扱うことができ、一方で、ブースタｅＮＢ１０６は、遅延耐性のあるデータプレーントラフィックを扱うことができる。
【００１８】
図１に示すように、ブースタｅＮＢ１０６は、アンカーｅＮＢ１０４のカバレッジ下で展開され、コアネットワーク１０２に接続され得る。アンカーｅＮＢ１０４及びブースタｅＮＢ１０６は、Ｘ２インタフェース又は別の種類のインタフェースを介して接続され得る。アンカーｅＮＢ１０４及びコアネットワーク１０２は、Ｓ１インタフェースを介して接続され得る。アンカーｅＮＢとブースタｅＮＢ１０６とを接続するバックホールリンクは、理想的又は非理想的である。ここで、「理想的」なバックホールリンクは、所定値より小さな遅延（ミリ秒単位）を有し、「非理想的」なバックホールリンクは、該所定値より大きな遅延を有する。初手一は、ネットワークアーキテクチャ、地理的動作領域、セル密度、等に基づきネットワークオペレータにより選択され得る。
【００１９】
各バックホール技術は、遅延（１方向）、スループット、及び優先度レベルに関連付けられ得る。例えば、ファイバアクセス１は１０〜３０ｍｓの遅延を有し、ファイバアクセス２は５〜１０ｍｓの遅延を有し、ファイバアクセス３は２〜５ｍｓの遅延を有し、デジタル加入者線（digital  subscriber  line：ＤＳＬ）アクセスは１０〜６０ｍｓの遅延を有し、無線バックホールは５〜３５ｍｓの遅延を有し得る。ある構成では、ファイバアクセス１、ファイバアクセス２、ファイバアクセス３、ＤＳＬアクセス、及び無線バックホールに関連する遅延は、所定値より大きく、したがって、非理想的バックホールであると考えられる。別の例として、ファイバは２．５マイクロ秒（μｓ）を超えない遅延（１方向）を有し得る。ある構成では、ファイバに関連する遅延は、所定値より小さく、したがって、理想的バックホールであると考えられる。
【００２０】
マクロ／アンカーセルは「アンブレラ」セルとして機能し、スモール／ブースタセルはセカンダリセルとしてＵＥに追加できる。以下に詳述するように、スモール／ブースタセルは、ＵＥ、ブースタｅＮＢ及びアンカーｅＮＢの間のシグナリングにより、ＵＥに追加され又はそれから除去され得る。スモール／ブースタセルの追加がアンカーｅＮＢとブースタｅＮＢとの間で調整されると、スモール／ブースタセルを追加するために、無線リソース制御（ＲＲＣ）メッセージ（つまり制御プレーンメッセージ）がＵＥへ通信され得る。
【００２１】
図２は、一例によるレガシ物理ダウンリンク制御チャネル（ＰＤＣＣＨ）を含むダウンリンク（ＤＬ）送信の無線フレームリソース（例えば、リソースグリッド）の図を示す。本例では、データを送信するために用いられる信号の無線フレーム２００は、１０ミリ秒（ｍｓ）の期間Ｔｆを有するよう構成され得る。各無線フレームは、それぞれ２ｍｓ長である１０個のサブフレーム２１０ｉにセグメント化又は分割され得る。各サブフレームは、それぞれ０．５ｍｓの期間Ｔｓｌｏｔを有する２個のスロット２２０ａ及び２２０ｂに更に細分化され得る。第１スロット（＃０）２２０ａは、レガシ物理ダウンリンク制御チャネル（ＰＤＣＣＨ）２６０及び／又は物理ダウンリンク共有チャネル（ＰＤＳＣＨ）２６６を含み、第２スロット（＃１）２２０ｂは、ＰＤＳＣＨを用いて送信されるデータを含み得る。一態様では、無線フレーム２００のアーキテクチャ設計の少なくとも部分は、図３に更に記載するように、アップリンク（ＵＬ）送信においてシングルキャリア周波数分割多重アクセス（single  carrier  frequency  division  multiple  access：ＳＣ−ＦＤＭＡ）にも適用可能である。
【００２２】
無線装置及びノードにより用いられる成分搬送波（ＣＣ）の各スロットは、ＣＣ周波数帯域幅に基づく複数のリソースブロック（ＲＢ）２３０ａ、２３０ｂ、２３０ｉ、２３０ｍ及び２３０ｎを有し得る。ＣＣは、帯域幅及び中心周波数を有する搬送波周波数を有し得る。ＣＣの各サブフレームは、レガシＰＤＣＣＨ内に見られるダウンリンク制御情報（downlink  control  information：ＤＣＩ）を有し得る。制御領域内のレガシＰＤＣＣＨは、レガシＰＤＣＣＨが使用されるとき、各サブフレーム又は物理ＲＢ（ＰＲＢ）内に第１ＯＦＤＭシンボルの１〜３個の行を含み得る。サブフレーム内の残りの１１〜１３ＯＦＤＭシンボル（又はレガシＰＤＣＣＨが使用されないとき、１４個のＯＦＤＭシンボル）は、（短い又は通常の巡回プレフィックスの）データ用のＰＤＳＣＨに割り当てられる。
【００２３】
制御領域は、物理制御フォーマット指示チャネル（physical  control  format  indicator  channel：ＰＣＦＩＣＨ）、物理ハイブリッド自動再送要求（physical  hybrid  automatic  repeat  request：ｈｙｂｒｉｄ−ＡＲＱ）指示チャネル（ＰＨＩＣＨ）、及びＰＤＣＣＨを含み得る。ＰＤＣＣＨのために使用される制御領域内のＯＦＤＭシンボルの数は、物理制御フォーマット指示チャネル（ＰＣＦＩＣＨ）内で送信される制御チャネルフォーマット指示子（control  channel  format  indicator：ＣＦＩ）により決定できる。ＰＣＦＩＣＨは、各サブフレームの最初のＯＦＤＭシンボルに位置する。ＰＣＦＩＣＨ及びＰＨＩＣＨは、ＰＤＣＣＨに優る優先度を有し、ＰＣＦＩＣＨ及びＰＨＩＣＨはＰＤＣＣＨの前にスケジューリングされる。
【００２４】
ある例示的な実施形態では、各ＲＢ（物理ＲＢ又はＰＲＢ）２３０ｉは、スロット当たり、（周波数軸で）１２〜１５ｋＨｚの副搬送波２３６及び（時間軸で）６又は７個の直交周波数分割多重（ＯＦＤＭ）シンボル２３２を有し得る。短い又は通常の巡回プレフィックスが用いられる場合、ＲＢは、７個のＯＦＤＭシンボルを使用し得る。拡張巡回プレフィックスが用いられる場合、ＲＢは、６個のＯＦＤＭシンボルを使用し得る。リソースブロックは、短い又は通常の巡回プレフィックスを用いて８４個のリソースエレメント（resource  element：ＲＥ）２４０ｉにマッピングされる。または、リソースブロックは、拡張巡回プレフィックスを用いて７２個のＲＥ（図示しない）にマッピングされ得る。ＲＥは、１つの副搬送波（つまり、１５ｋＨｚ）２４６による１つのＯＦＤＭシンボルの単位であり得る。
【００２５】
ＱＰＳＫ（quadrature  phase−shift  keying）変調の場合、各ＲＥは、２ビットの情報２５０ａ及び２５０ｂを送信できる。各ＲＥでより多数のビットを送信するために１６ＱＡＭ（quadrature  amplitude  modulation）又は６４ＱＡＭのような、又は各ＲＥでより少数のビット（単一ビット）を送信するためにＢＰＳＫ（bi−phase  shift  keying）変調のような、他の種類の変調が用いられ得る。ＲＢは、ｅＮＢからＵＥへのダウンリンク送信のために構成できる。又は、ＲＢは、ＵＥからｅＮＢへのアップリンク送信のために構成できる。
【００２６】
図２で提供された例は、限定を意図しない。他の種類のＯＦＤＭシグナリング及び制御情報通信が、アンカー／ブースタ通信方式を用いて達成できる。ブースタｅＮＢがアンカーｅＮＢにより使用されるＲＡＴと異なる種類のＲＡＴであるとき、図２の例において示された通信方式が使用されて良く又は使用されなくて良い。
【００２７】
一態様では、（１）ＬＢＴを伴うＰＵＳＣＨ送信のためのサブフレーム設計、（２）ＰＵＳＣＨ送信のためのチャネルアクセスメカニズム、（３）ＬＢＴに基づくＰＵＳＣＨ送信のためのプリアンブル設計、及び（４）効率的なＰＵＳＣＨ送信のための最適化、を提供することにより、無競合アップリンク（ＵＬ）同期が達成できる。
【００２８】
例えば、３ＧＰＰリリース８の、表１のアップリンク（ＵＬ）ＰＵＳＣＨ送信のための以下の制御プレーン遅延分析を検討する。ＰＵＳＣＨ送信では、ｅＮｏｄｅからスケジューリング許可を得る際に生じる合計遅延は、約９．５ｍｓである。オーバヘッドは、任意の許容可能な低遅延設計にとって重要である。
【００２９】
［表１］同期ＵＥの遅延
【００３０】
【表１】
0006774961.tif 000002
表２に示すように、非同期ＵＥの遅延を有するので、ＰＵＳＣＨ送信のための本発明の技術の無競合（例えば、許可無し）スケジューリングが、キャリア検知及びリッスンビフォートークに基づき使用できる。非同期ＵＥの遅延は減少でき、ＰＲＡＣＨオーバヘッド（つまり、表２のコンポーネント１、２、３、４）も減少できる。
【００３１】
［表２］非同期ＵＥの遅延
【００３２】
【表２】
0006774961.tif 000003
図３は、本発明の技術の一実施形態によるリッスンビフォートーク（listen  before  talk：ＬＢＴ）に基づく物理アップリンク共有制御チャネル（ＰＵＳＣＨ）送信３００のフレーム設計を示す。図３は、ＬＢＴに基づくＰＵＳＣＨ送信３００の全体的な無線フレーム設計を示す。留意すべきことに、図１及び図２の説明及び実施形態は図３において使用できる。つまり、例えば、図３に記載される実施形態は、図２のフレーム構造に適用できる。図３に記載される実施形態は、異なるフレーム構造にも適用できる。
【００３３】
例えば、一態様では、図２の無線フレーム２００のアーキテクチャ設計の少なくとも部分は、図３に更に記載するように、アップリンク（ＵＬ）送信においてシングルキャリア周波数分割多重アクセス（single  carrier  frequency  division  multiple  access：ＳＣ−ＦＤＭＡ）にも適用可能である。したがって、図２と同様に、図３の無線フレーム設計は、図２のスロット２２０ａ及び２２０ｂのような２つのスロットを含む得るサブフレームを含み得る。１つのサブフレーム識別（ＩＤ）を送信するための時間は、送信時間間隔（Transmission  Time  Interval：ＴＴＩ）として定めることができる。３ＧＰＰ  ＬＴＥでは、１サブフレームは１ｍｓの長さを有し、１スロットは０．５ｍｓの長さを有して良い。しかしながら、無線フレームの構造及びＴＴＩは、通信システムに従い変化し得る。より低い遅延を有する通信システムは、有意に短いＴＴＩ期間を有して良い。
【００３４】
１つのスロット３０２は、図２のスロット２２０ａ及び／又は２２０ｂと同様に、時間ドメインに複数のシングルキャリア周波数分割多重アクセス（ＳＣ−ＦＤＭＡ）シンボル（例えば、図３に示すＰＵＳＣＨ送信６０２の０〜１３のような１４個のシンボル）を含み、周波数ドメインに複数のリソースブロックを含む。１つのリソースブロック（ＲＢ２３０）について、その水平軸は時間軸を表し、その垂直軸は周波数軸を示す。シングルキャリア周波数分割多重アクセス（ＳＣ−ＦＤＭＡ）システムでは、シングルキャリア特性を満たすために、参照信号（reference  signal：ＲＳ）は、１つのシンボルの全ての周波数リソースを使用できる。３ＧＰＰ  ＬＴＥシステムでは、ＲＳはアップリンクにおいてプリコードされない。ＲＳは、データと区別できる。選択された種類のＲＳは、復調ＲＳ（ＤＭＲＳ）３１０及びサウンディングＲＳ（ＳＲＳ）を含む。ＤＭＲＳ３１０は、アップリンクデータの復調のためにチャネル情報を取得するための参照信号であり、ＳＲＳは、アップリンクチャネルの測定のために使用される参照信号であり得る。
【００３５】
上述のように、無線フレーム２００のアーキテクチャ設計の少なくとも部分は、図３に更に記載するように、アップリンク（ＵＬ）送信においてシングルキャリア周波数分割多重アクセス（ＳＣ−ＦＤＭＡ）にも適用可能である。つまり、専用周波数時間リソースが、ＬＢＴに基づくＰＵＳＣＨ送信のために使用できる。ここで、時間／周波数リソース（例えば、各々の復調参照信号（ＤＭＲＳ））は、上位レイヤシグナリング（例えば、ＲＲＣシグナリング）により構成できる。
【００３６】
図３では、周波数リソースの少なくとも一部は、列４及び列１０のＤＭＲＳ３１０として示すように、ＰＵＳＣＨ送信３００のために使用できる。一方で、可変数のリソースブロック（ＲＢ）が、ＬＢＴに基づくＰＵＳＣＨ送信３００のために使用できる。図３に示すように、１又は複数のＤＭＲＳ３１０は、ＰＵＳＣＨ送信３００に挿入できる。ＳＣ−ＦＤＭＡ送信方式なので、ＰＵＳＣＨリソース割り当ての範囲内で、ＤＭＲＳ３１０は、列４及び列１０におけるように、ＯＦＤＭシンボル全体を占有できる。ＤＭＲＳシーケンスの長さは、割り当てられたリソースブロックの副搬送波の数に等しい。物理アップリンク共有チャネル（ＰＵＳＣＨ）のＤＭＲＳは、巡回シフトされ得る。
【００３７】
ＰＵＳＣＨ送信で使用される時間／周波数リソースに関連する情報は、ＲＲＣシグナリングによりＵＥへ伝達できる。望まれる場合、可変リソースに加えて、全てのＵＥに知られている固定先験的（a−priory）リソースも使用できる。非接続ＲＲＣの場合には、このような固定リソースが許可無しＰＵＳＣＨ送信のために使用されることが可能である。一態様では、ＤＭＲＳシーケンスは、一定振幅ゼロ自己相関波形（Constant  Amplitude  Zero  Autocorrelation  Waveform：ＣＡＺＡＣ）シーケンスを用いて生成できる。ＣＡＺＡＣシーケンスは、例えばＺＣ（Zadoff−Chu）シーケンスであり得る。種々のＺＣシーケンスが、ルートインデックス及び巡回シフトインデックスに従い生成できる。つまり、ルートインデックス又は巡回シフトインデックスは、ＺＣシーケンスのシード値であり得る。ＤＣＩフォーマット０は、アップリンクデータ送信のための制御情報を提供し、巡回シフトインデックスを含み得る。チャネルは、端末に異なる巡回シフトインデックスを割り当てることにより、直交（又は準直交）シーケンスを通じて複数の端末から推定できる。
【００３８】
図４は、一例によるリッスンビフォートーク（ＬＢＴ）に基づく物理アップリンク共有制御チャネル（ＰＵＳＣＨ）送信のサブフレーム設計を示す。より具体的には、図４は、ＬＢＴに基づくＰＵＳＣＨアップリンクの予備的な無線フレーム設計を示す。図４は、ＵＥ１及びＵＥ２のような２つのＵＥのものを示す。また、図４は、ＬＢＴ動作がＰＵＳＣＨ送信の動作より先行できることを示す。ＬＢＴは、クリアチャネル評価（clear  channel  assessment：ＣＣＡ）４０４及び拡張ＣＣＡ（ＥＣＣＡ）４０６を含む、図４〜５に示すような２つの段階から成る。図４では、ＤＭＲＳ４１０、ＰＵＳＣＨ送信４０２、及び予約信号４１４も、ＵＥ１及びＵＥ２の両方について示される。ＣＣＡ４０４及びＥＣＣＡ４０６の間に、媒体（例えば、チャネル）がアイドルであることを検知され得る。チャネルは、ＣＣＡ４０４及びＥＣＣＡ４０６の間に感知されたエネルギが特定閾より小さい場合にアイドルとして感知され得る。ＣＣＡ４０４及びＥＣＣＡ４０６の期間は、最小感知粒度に依存する。
【００３９】
一態様では、ＰＵＳＣＨ送信４０２は、最大１４個のシンボル（例えば図４のＰＵＳＣＨ送信４０２に示す０〜１３）で構成され得る。ＳＲＳ４１２が送信されないとき、予約信号は「−１」として表される図４に示すＰＵＳＣＨ送信の前のサブフレーム内のシンボルから開始して良い。或いは、ＳＲＳ４１２のために１シンボルが使用されるとき、１３シンボルである。したがって、ＬＢＴに基づくＰＵＳＣＨリソースでは、ＳＲＳ４１４は送信されなくて良く（例えば、ＵＥ１及びＵＥ２の両方について図４に「パンクチャド／ＳＲＳ無し」として示される）、１３シンボルで構成されるＰＵＳＣＨ送信４０２が、１つの空のシンボルでＬＢＴを実行するために使用できる。変調及び符号化方式（modulation  and  coding  scheme：ＭＣＳ）は、ＵＥ１及び／又はＵＥ２のようなＵＥ、並びにｅＮＢに分かるアップリンク送信のために使用できる。一態様では、最低ＭＣＳが使用できる。
【００４０】
他の態様では、ＬＢＴは、指定数のシンボルＭに対してシンボル０で開始して、実行できる。したがって、ＰＵＳＣＨ送信は、サブフレーム内の、シンボルＭ＋１から開始し、シンボル１４で終了し得る。この場合、ＳＲＳはシンボル１４で送信され、シンボル１４のパンクチャは使用されない。
【００４１】
一態様では、ＬＢＴのＬＢＴ完了後にＵＥ（例えば、ＵＥ１又はＵＥ２）のＣ＿ＲＮＴＩを送信するために、制御信号が使用できる。したがって、ｅＮＢは、ＵＥ（例えば、ＵＥ１又はＵＥ２）のアイデンティティを決定でき、ｅＮＢは、単一アンテナによるＤＭＲＳ４１０送信のために使用されるシーケンスに基づき、ブラインドＵＥ検出を実行できる。
【００４２】
ＬＢＴ感知粒度（スリット）は、リソースブロック内の１２個の副搬送波に対応する、５．６マイクロ秒（μｓ）に対応するシンボル期間の１２分の１として使用できる。ＣＣＡ４０４は、実装によりＵＥ（例えば、ＵＥ１又はＵＥ２）に知られている複数のスリットに対して実行でき、又はｅＮＢによるシグナリングにより実行できる。ＥＣＣＡ４０６は、実装によりＵＥに知られている競合ウインドウ（ＣＷ）により決定される複数のスリットに及び、又は、ｅＮＢによるシグナリングにより実行できる。ＵＥ１又はＵＥ２のような各ＵＥは、バックオフカウンタとして参照される（１，ＣＷ）から均一に乱数を生成することにより、スリット数を決定できる。チャネルがアイドルとして感知される度に、ＥＣＣＡカウンタは、１だけ減少され得る。ＥＣＣＡカウンタがゼロに達すると、ＵＥ１及び／又はＵＥ２のようなＵＥは、１つのシンボルに及び／又は次のシンボルの始めに揃えるために、ランダムビットで構成されて良い予約信号を送信できる。ＵＥ１又はＵＥ２のようなＵＥが空きチャネルを取得できない場合、次のサブフレームにおいて、新しい乱数を生成することなく現在カウンタを用いて、ＬＢＴが実行され得る。態様のうちの１つでは、カウンタは、送信試行毎に再生成され得る。一態様では、設計選択として、ＣＣＡ４０４動作を完全にスキップすることが可能である。これらの動作は、図５に更に示される。
【００４３】
図５は、一例によるサブフレームレベルの合計時間間隔（total  time  interval：ＴＴＩ）を有するリッスンビフォートーク（listen  before  talk：ＬＢＴ）に基づく物理アップリンク共有制御チャネル（ＰＵＳＣＨ）送信の設計を示す。留意すべきことに、図１〜４の説明及び実施形態は図５において使用できる。動作５１０では、ＣＣＡ及びＥＣＣＡの間に、無線通信におけるチャネル媒体は、アイドルであることを、第１所定時間期間（例えば、「Ｃ」マイクロ秒（μｓ）又は「Ｃμｓ」）の間に（例えばＬＢＴ動作を用いて）感知され得る。動作５２０で、ＣＣＡ及びＥＣＣＡ期間の間に感知されたエネルギ（例えば、受信電力）が指定閾（Ｔｄｂｍ）より小さいかどうかを決定するために、決定が行われ得る。ＣＣＡ及びＥＣＣＡ期間の間に感知されたエネルギ（例えば、受信電力）が指定閾（Ｔｄｂｍ）より小さくない場合、ＵＥ１又はＵＥ２のような各ＵＥは、動作５３０におけるように、（１，ＣＷ）から均一に乱数を生成することにより、スリット数を決定でき、動作５４０で、チャネルがアイドルであると感知される度に、ＥＣＣＡカウンタは１だけ減少され、Ｎ＝Ｎ−１として表され、ここでＮは乱数である。
【００４４】
動作５６０から動作５７０へ進み、乱数（Ｎ）が１に等しいか（例えばＮ＝１）どうかを調べるために決定が行われる。等しくない場合、チャネル媒体は、第２所定時間期間（例えば、「Ｅ」マイクロ秒（μｓ）又は「Ｅμｓ」）の間、アイドルであることについて感知され得る。また、動作５２０に戻り、ＣＣＡ及びＥＣＣＡ期間の間に感知されたエネルギ（例えば、受信電力）が指定閾（Ｔｄｂｍ）より小さい場合、動作５７０におけるように、乱数が１に等しいかどうかを調べるために決定が行われる。
【００４５】
一態様では、動作５４０又は動作５５０のいずれかから、動作５５０で、動作５２０と同様に、ＣＣＡ及びＥＣＣＡ期間の間に感知されたエネルギ（例えば、受信電力）が指定閾（Ｔｄｂｍ）より小さいかどうかを決定するために、決定がもう一度行われ得る。ＣＣＡ及びＥＣＣＡ期間の間に感知されたエネルギ（例えば、受信電力）が指定閾（Ｔｄｂｍ）より小さくない場合、各ＵＥは、（１，ＣＷ）から均一に乱数を生成することにより、スリット数を決定できる。図５から分かるように、Ｙｅｓの場合、動作５５０は動作５４０へ進み及び／又はそれに戻る。Ｎｏの場合、動作５５０は、動作５６０へ進み又はそれに戻る。
【００４６】
動作５７０のように、乱数が１に等しい場合、動作は動作５８０へ進み、ＵＥ１及び／又はＵＥ２のような各ＵＥは、１つのシンボルに及び／又は次のシンボルの始めに揃えるために、予約信号を送信し得る。ＵＥ１又はＵＥ２のようなＵＥが空きチャネルを取得できない場合、動作５８０は動作５１０に戻り、ＬＢＴは次のサブフレームで実行できるが、現在カウンタを用い、次のサブフレームにおいて新しい乱数を生成しない。
【００４７】
図６は、一例によるプリアンブルシグナリングを伴うリッスンビフォートーク（ＬＢＴ）に基づく物理アップリンク共有制御チャネル（ＰＵＳＣＨ）送信の設計を示す。図６は、ＬＢＴに基づくＰＵＳＣＨ送信の追加オプションを示す。図４と同様に、ＬＢＴ感知粒度（スリット）は、リソースブロック内の１２個の副搬送波に対応する、５．６マイクロ秒（μｓ）に対応する１２分の１のシンボルとして使用され得る。また、ＣＣＡ６０４及びＥＣＣＡ６０６の間、無線通信のチャネル媒体は、所定時間期間の間、（例えば、ＬＢＴ動作を用いて）感知され得る。ＣＣＡ６０４は、実装によりＵＥ（例えば、ＵＥ１、ＵＥ２及び／又はＵＥ３）に知られている複数のスリットに対して実行され得、又はｅＮＢによるシグナリングにより実行され得る。
【００４８】
一態様では、ＰＵＳＣＨ送信６０２は、最大１４個のシンボル（例えば図６のＰＵＳＣＨ送信６０２に示す０〜１３）で構成され得る。一態様では、ＴＴＩは、１サブフレームであるよう維持され得る。しかしながら、図６に示すように、シンボルレベルまで粒度の低減が達成できる。ここで、図３に示されるように最後のシンボルでＬＢＴ動作を実行するのに対して、ＬＢＴ動作は、各シンボル内で実行され得る。したがって、図６は、新しい追加プリアンブルシグナリングを含む。プリアンブル６１０は、ＵＥ  ＲＮＴＩ及び／又は復調のためのＤＭＲＳのような信号を含み得る。また、ＤＭＲＳは、ＰＵＳＣＨ送信バースト内で除去され得る。変調及び符号化方式（modulation  and  coding  scheme：ＭＣＳ）は、ＵＥ１、ＵＥ２及び／又はＵＥ３のようなＵＥ、並びにｅＮＢに分かるアップリンク送信のために使用できる。プリアンブルは、送信長（シンボル数又はＴＴＩ）及びセル識別（ＩＤ）（例えば、ＬＢＴの間、他のセルを無視するために）に対して、並びに、更に多くの送信すべきデータが存在する場合には、要求及び／又はバッファ状態レポート（buffer  status  report：ＢＳＲ）をスケジューリングするためにも使用できる。
【００４９】
留意すべきことに、一態様では、ＰＵＳＣＨ送信は再送信され得る。先ず、ＰＵＳＣＨ送信は、ｅＮＢで誤って受信され得る。再送信は、ＰＨＩＣＨ情報に基づき生じ得る。追加スケジューリングも、専用リソースにより送信されて良い。ここで、失敗したＰＵＳＣＨ送信は、再送信のためのＬＢＴプロトコルに従わなくて良い。再送要求（ｈｙｂｒｉｄ−ＡＲＱ）指示チャネル（ＰＨＩＣＨ）機能は、ＵＬバッファをフラッシュするか又はフラッシュしないかを示す、新規データ指示子（new  data  indicator：ＮＤＩ）及びトグルする情報を含むＵＬ許可を送信することにより置換され得る。
【００５０】
一態様では、同期動作として、ＰＨＩＣＨが肯定応答（ＡＣＫ）を示す場合、ＵＥは、再送ＰＵＳＣＨ送信を送信することを制限され得る。ＰＨＩＣＨが否定応答（ＮＡＣＫ）を示す場合、ＵＥは、決定された時間位置におけるように、再送ＰＵＳＣＨを送信できる（例えば、ＴＴＩ  ｎにおけるＰＨＩＣＨの受信を伴う、ＴＴＩ  ｎ＋４における再送信、周波数分割多重（ＦＤＤ）では、再送信はＬＢＴプロトコルにより又はそれによらず行われ得る、ここで「ｎ」はサブフレームである）。同期又は非同期ＨＡＲＱ動作として、ＵＬ許可の中のＮＤＩがトグルされる場合、ＵＥは、再送信ＰＵＳＣＨを送信することを制限され、ＵＬデータバッファをフラッシュできる。ＵＬ許可の中のＮＤＩがトグルされない場合、ＵＥは、ＵＬ許可により与えられる時間ドメイン及び／又は周波数ドメイン位置で再送信ＰＵＳＣＨを送信できる。特に、時間ドメイン位置は、３ＧＰＰ  ＬＴＥ  Ｒｅｌ．８−１２におけるように、サブフレームｎの中のＵＬ許可受信によりサブフレームｎ＋４におけるように、黙示的に定められ得る。この再送信は、ＬＢＴプロトコルを伴い又は伴わずに行われ得る。
【００５１】
一態様では、２つのＰＨＩＣＨ及びＵＬ許可に基づくＨＡＲＱ動作の各々は、一緒に考えることができる。例えば、ＵＥがＰＨＩＣＨに基づく動作を期待し及び受信するが、ＵＥはＵＬ許可の中でＮＤＩも受信するとき、ＵＥは、ＰＨＩＣＨ指示を無視して良く、ＵＬ許可の中のＮＤＩに従って良い。言い換えると、ＮＤＩはＰＨＩＣＨより優先できる。
【００５２】
図７は、一例によるＬＢＴ競合ゾーン７０２内のリッスンビフォートーク（ＬＢＴ）に基づく物理アップリンク共有制御チャネル（ＰＵＳＣＨ）送信の設計を示す。留意すべきことに、隠れノード問題は、複数のＵＥが、ＬＢＴの実行後に同時に送信する場合に生じ得、ＰＵＳＣＨ送信は高い干渉のためにｅＮＢ７１０において復号化に成功しない。ｅＮＢ７１０における衝突は、異なるＵＥの競合ウインドウを用いるＥＣＣＡのために使用される乱数カウンタが異なるＵＥの各々について同様である場合に、生じ得る。このように、図７は、ＵＥの適応型分離の使用を示す。ここで、ＵＥの各々は、ゾーン１、ゾーン２、及び／又はゾーン３のような異なる競合ゾーン７０２に属し、ゾーンの各々は異なる競合ウインドウに属する。図４と同様に、ＬＢＴ感知粒度（スリット）は、リソースブロック内の１２個の副搬送波に対応する、５．６マイクロ秒（μｓ）に対応する１２分の１のシンボルとして使用され得る。また、ＣＣＡ及びＥＣＣＡの間、無線通信のチャネル媒体は、所定時間期間の間、（例えば、ＬＢＴ動作を用いて）感知され得る。
【００５３】
一態様では、ゾーン１、ゾーン２、及び／又はゾーン３のような競合ゾーンの各々は、遅延制約に基づき、競合ウインドウの準静的優先度を割り当てられ得る。セルが衝突を決定する場合、ｅＮＢは、新しいゾーンを生成することにより競合ウインドウを準静的に変更し（又は増大し）、又は成功した送信について競合ゾーンを減少できる。
【００５４】
図８は、一例によるユーザ機器（ＵＥ）とアンカーｅＮＢ（enhanced  Node  B）との間の低遅延同期を達成する方法のフローチャートを示す。例えば、ＵＥの機能は方法８００として実施できる。あるいは、機能は機械において命令として実行できる。ここで、命令は、少なくとも１つのコンピュータ可読媒体若しくは非一時的機械可読記憶媒体に含まれる。１又は複数のプロセッサは、ブロック８１０で、所定時間期間の間、いずれかの物理アップリンク共有チャネル（ＰＵＳＣＨ）がアイドルであるかどうかを感知するよう構成され得る。１又は複数のプロセッサは、ブロック８２０で、ＰＵＳＣＨ送信でユニークなＵＥ  ＩＤを提供するよう構成され得る。動作８３０で、ＰＵＳＣＨ送信は、アップリンク同期のためにｅＮＢとの無競合（例えば、許可無し）通信のためにアイドルＰＵＳＣＨチャネルのうちの１つで通信され得る。
【００５５】
留意すべきことに、以下の各々は、図８に含まれ得る。言い換えると、以下の各々は、図８に記載の動作の各々に含まれ及び／又はそのうちの１又は複数と関連して良い。１又は複数のプロセッサは、アップリンク同期スケジューリングを伴わず、アイドルＰＵＳＣＨチャネルのうちの１つでＰＵＳＣＨ送信をｅＮＢと通信するよう構成され得る。１又は複数のプロセッサは、感知したエネルギが所定閾より低い場合に、ＰＵＳＣＨチャネルがアイドルであると感知するよう更に構成され得る。１又は複数のプロセッサは、クリアチャネル評価（ＣＣＡ）及び拡張ＣＣＡ（ＥＣＣＡ）の間にＰＵＳＣＨチャネルのいずれかがアイドルであるかどうかを感知するよう更に構成され得る。ここで、ＣＣＡ又はＥＣＣＡの期間は最小感知粒度に基づく。１又は複数のプロセッサは、ＣＣＡ又はＥＣＣＡの間に、感知したエネルギが所定閾より低い場合に、ＰＵＳＣＨチャネルがアイドルであると感知するよう構成され得る。
【００５６】
一態様では、ＥＣＣＡは、複数の感知粒度スリットに渡り得る。ここで、ＥＣＣＡが及ぶ複数の感知粒度スリットの数は、競合ウインドウにより決定される。
【００５７】
一態様では、１又は複数のプロセッサは、１から、競合ウインドウにより決定されたＥＣＣＡが及ぶ複数の感知粒度スリットの数までの、乱数を生成することにより、複数の感知粒度スリットの数を決定し、ＰＵＳＣＨチャネルがアイドルとして感知される度に、ＥＣＣＡが及ぶ複数の感知粒度スリットの数を減少させ、及び／又はＰＵＳＣＨ送信を通信するためにアイドルであるＰＵＳＣＨチャネルのうちの１つを予約するよう構成され得る。
【００５８】
一態様では、ユニークなＵＥ  ＩＤは、セル無線ネットワーク一時識別子（Ｃ−ＲＮＴＩ）又は無線ネットワーク一時識別子（ＲＮＴＩ）のうちの１つであり得る。さらに、ＰＵＳＣＨ送信の通信は、さらに、ＵＥの媒体アクセス制御（ＭＡＣ）バッファにＵＬパケットが到着すると、実行され得る。ＰＵＳＣＨ送信は、リソースブロック内のサブキャリアに対応する複数のシンボルで構成され得る。１又は複数のプロセッサは、ＰＵＳＣＨチャネルがアイドルであることを感知するために複数のシンボルのうちの少なくとも１つを使用し、一方で、ＰＵＳＣＨ送信のために複数のシンボルのうちの残りの数を使用するよう構成され得る。
【００５９】
一態様では、１又は複数のプロセッサは、ＵＬ送信のために変調符号化方式（ＭＣＳ）を使用するよう構成され得る。ここで、ＭＣＳは最小ＭＳＣにより予め定められ得る。一態様では、１又は複数のプロセッサは、ＰＵＳＣＨチャネルがアイドルであることを感知するためにプリアンブルシグナリングを使用するよう構成され得る。
【００６０】
更なる態様では、１又は複数のプロセッサは、ハイブリッド自動再送要求（ＨＡＲＱ）動作の中でＰＵＳＣＨ送信を通信し、ＵＥが物理ＨＡＲＱ指示チャネル（physical  HARQ  indicator  channel：ＰＨＩＣＨ）の中で否定応答（ＮＡＣＫ）を受信すると、再送信のためにＰＵＳＣＨ送信を処理するよう構成され得る。ＰＵＳＣＨ送信の再送信は、ＵＬ許可に基づく又はＵＬ許可の中でトグルする新規データ指示子（new  data  indicator：ＮＤＩ）に基づき得る。一態様では、１又は複数のプロセッサは、構成された時間又は周波数領域の中でＰＵＳＣＨ送信を通信し、及び／又は、代替ＵＥからＵＥを、異なる競合ウインドウを有する異なる競合ゾーンに適応して分けるよう更に構成され得る。ここで、競合ゾーンの各々は遅延制約に従い動的に又は準静的に適応される。
【００６１】
図９は、一例によるアンカーｅＮＢ（enhanced  Node  B）とユーザ機器（ＵＥ）との間の無競合アップリンク（ＵＬ）同期を達成する更なる方法のフローチャートを示す。例えば、ｅＮＢの機能は方法９００として実施できる。あるいは、機能は機械において命令として実行できる。ここで、命令は、少なくとも１つのコンピュータ可読媒体若しくは非一時的機械可読記憶媒体に含まれる。１又は複数のプロセッサは、ブロック９１０で、所定時間期間の間のアイドルＰＵＳＣＨチャネル感知に続き、ＵＥから受信した物理アップリンク共有チャネル（ＰＵＳＣＨ）送信を処理するよう構成され得る。１又は複数のプロセッサは、ブロック９２０で、ｅＮｏｄｅＢによるＰＵＳＣＨ送信でユニークなＵＥ識別（ＩＤ）を受信するよう構成され得る。動作９３０で、ＵＥのアイデンティティは、アップリンク同期のためにｅＮＢとの無競合（例えば、許可無し）通信のＰＵＳＣＨ送信の中のＵＥのユニークなＩＤにより決定され得る。一態様では、図９は、復調参照信号（ＤＭＲＳ）に基づきブラインドＵＥ検出も実行できる。
【００６２】
留意すべきことに、以下の各々は、図９に含まれ得る。言い換えると、以下の各々は、図９に記載の動作の各々に含まれ及び／又はそのうちの１又は複数と関連して良い。
【００６３】
一態様では、１又は複数のプロセッサは、復調参照信号（ＤＭＲＳ）に基づきブラインドＵＥ検出を実行し、ＵＬ同期スケジューリングを伴わずにＵＥからのアイドルＰＵＳＣＨチャネルのうちの１つで受信されたＰＵＳＣＨ送信を処理し、ＰＵＳＣＨ送信を受信するためにアイドルである複数のＰＵＳＣＨチャネルのうちの１つを予約するために、ＵＥから受信された予約信号を処理し、及び／又は、ＵＥの媒体アクセス制御（ＭＡＣ）バッファにＵＬパケットが到着すると、ＵＥから受信されたＰＵＳＣＨ送信を処理するよう構成され得る。
【００６４】
一態様では、１又は複数のプロセッサは、ＵＬ送信のために変調符号化方式（ＭＣＳ）を使用するよう構成され得る。ここで、ＭＣＳは最小ＭＳＣにより予め定められ得る。
【００６５】
一態様では、１又は複数のプロセッサは、ハイブリッド自動再送要求（ＨＡＲＱ）動作の中でＰＵＳＣＨ送信を受信し、ＰＵＳＣＨ送信を再送するようＵＥをトリガするためにＵＥへの物理ＨＡＲＱ指示チャネルの中の否定応答（ＮＡＣＫ）を送信のために処理し、ＰＵＳＣＨ送信の再送信のためにＵＥへのＵＬ許可又はＵＬ許可の中でトグルする新規データ指示子（ＮＤＩ）を送信のために処理し、及び／又は構成された時間又は周波数領域の中で受信したＰＵＳＣＨ送信を処理するよう構成され得る。
【００６６】
一態様では、１又は複数のプロセッサは、異なる競合ウインドウを有する新しい競合ゾーンを生成すること又はＰＵＳＣＨ送信の受信に成功するために現在使用されている競合ゾーンを減少させることにより、ＵＥと代替ＵＥとの間のセル衝突を決定すると、競合ウインドウを動的に又は準静的に適応し及び／又は割り当てるよう構成され得る。
【００６７】
図１０は、ユーザ機器（ＵＥ）、移動局（ＭＳ）、モバイル無線装置、モバイル通信装置、タブレット、ハンドセット、又は他の種類の無線装置のような無線装置１０００の例示的説明を提供する。一態様では、無線装置は、アンテナ、タッチ感応ディスプレイスクリーン、スピーカ、マイクロフォン、グラフィックプロセッサ、アプリケーションプロセッサ、内部メモリ、不揮発性メモリポート及びそれらの組合せのうちの少なくとも１つを有し得る。
【００６８】
無線装置は、ノード又は基地局（ＢＳ）、ｅＮＢ（evolved  Node  B）、ベースバンドユニット（baseband  unit：ＢＢＵ）、ＲＲＨ（remote  radio  head）、ＲＲＥ（remote  radio  equipment）、中継局（ＲＳ）、無線機器（radio  equipment：ＲＥ）、ＲＲＵ（remote  radio  unit）、ＣＰＭ（central  processing  module）若しくは他の種類の無線広域ネットワーク（wireless  wide  area  network：ＷＷＡＮ）アクセスポイントのような送信局と通信するよう構成される１又は複数のアンテナを有し得る。無線装置は、３ＧＰＰ  ＬＴＥ、ＷｉＭＡＸ、ＨＳＰＡ（High  Speed  Packet  Access）、Ｂｌｕｅｔｏｏｔｈ（登録商標）及びＷｉＦｉを含む少なくとも１つの無線通信規格を用いて通信するよう構成され得る。無線装置は、無線通信規格毎に別個のアンテナを又は複数の無線通信規格のための共有アンテナを用いて通信できる。無線装置は、ＷＬＡＮ（wireless  local  area  network）、ＷＰＡＮ（wireless  personal  area  network）、及び／又はＷＷＡＮ内で通信できる。種々の技術又はその特定の態様若しくは部分は、フロッピーディスク、ＣＤ−ＲＯＭ（compact  disc−read−only  memory）、ハードドライブ、非一時的コンピュータ可読記憶媒体、又は任意の他の機械可読記憶媒体のような有形媒体に具現化されるプログラムコード（つまり、命令）の形式をとることができ、プログラムコードがコンピュータのような機械に読み込まれ実行されると、該機械は、種々の技術を実施するための装置になる。回路は、ハードウェア、プログラムコード、実行可能コード、コンピュータ命令、及び／又はソフトウェアを有し得る。非一時的コンピュータ可読記憶媒体は、信号を含まないコンピュータ可読記憶媒体であり得る。プログラム可能なコンピュータでプログラムコードが実行される場合、コンピューティング装置は、プロセッサ、該プロセッサにより読み取り可能な記憶媒体（揮発性及び不揮発性メモリ、及び／又は記憶素子を含む）、少なくとも１つの入力装置、及び少なくとも１つの出力装置を含み得る。揮発性及び不揮発性メモリ及び／又は記憶素子は、ＲＡＭ（random−access  memory）、ＥＰＲＯＭ（erasable  programmable  read  only  memory）、フラッシュドライブ、光ドライブ、磁気ハードドライブ、固体ドライブ、又は電子データを格納する他の媒体であり得る。ノード及び無線装置は、通信機モジュール（つまり、通信機）、カウンタモジュール（つまり、カウンタ）、処理モジュール（つまり、プロセッサ）、及び／又はクロックモジュール（つまり、クロック）若しくはタイマモジュール（つまり、タイマ）を有し得る。ここに記載した種々の技術を実施し又は利用し得る１又は複数のプログラムは、ＡＰＩ（application  programming  interface）、再利用可能制御、等を用いることができる。このようなプログラムは、コンピュータシステムと通信するために、高度な手続き又はオブジェクト指向プログラミング言語で実装され得る。しかしながら、プログラムは、望ましい場合には、アセンブラ又は機械語で実装され得る。いずれの場合にも、言語は、コンパイルされた又はインタープリットされた言語であり得、ハードウェア実装と結合され得る。
【００６９】
本願明細書で用いられるとき、用語「回路」は、１又は複数のソフトウェア若しくはファームウェアプログラムを実行するＡＳＩＣ（Application  Specific  Integrated  Circuit）、電子回路、プロセッサ（共有、専用、又はグループ）、及び／又はメモリ（共有、専用、又はグループ）、組合せ論理回路、及び／又は記載の機能を提供する他の適切なハードウェアコンポーネントを表し、その一部であり、又はそれを含み得る。幾つかの態様では、１又は複数のソフトウェア又はファームウェアモジュールにより、回路が実装でき、或いは、回路に関連する関数が実装できる。
【００７０】
幾つかの態様では、回路は、少なくとも部分的にハードウェアで動作可能なロジックを含み得る。
【００７１】
ここに記載の態様は、任意の積雪に構成されたハードウェア及び／又はソフトウェアを用いてシステムに実装され得る。
【００７２】
図１１は、一態様について、ユーザ機器（ＵＥ）装置１１００の例示的なコンポーネントを示す。幾つかの態様では、ＵＥ装置１１００は、少なくとも図示のように一緒に結合される、アプリケーション回路１１０２、ベースバンド回路１００４、無線周波数（ＲＦ）回路１１０６、フロントエンドモジュール（ＦＥＭ）回路１００８、及び１又は複数のアンテナ１１１０、を含み得る。
【００７３】
アプリケーション回路１１０２は、１又は複数のアプリケーションプロセッサを含み得る。例えば、アプリケーション回路１００２は、１又は複数のシングルコア又はマルチコアプロセッサのような回路を有し得るが、これに限定されない。プロセッサは、汎用プロセッサ及び専用プロセッサ（例えば、グラフィックプロセッサ、アプリケーションプロセッサ、等）の任意の組合せを有し得る。プロセッサは、汎用プロセッサ及び専用プロセッサ（例えば、グラフィックプロセッサ、アプリケーションプロセッサ、等）の任意の組合せを有し得る。プロセッサは、記憶媒体１１１２に結合でき及び／又は含むことができ、システム上で種々のアプリケーション及び／又はオペレーティングシステムを走らせるために記憶媒体１１１２に格納された命令を実行するよう構成され得る。
【００７４】
ベースバンド回路１１０４は、１又は複数のシングルコア又はマルチコアプロセッサのような回路を有し得るが、これに限定されない。ベースバンド回路１１０４は、ＲＦ回路１１０６の受信信号経路から受信されるベースバンド信号を処理するため及びＲＦ回路１１０６の送信信号経路へのベースバンド信号を生成するために、１又は複数のベースバンドプロセッサ及び／又は制御ロジックを有し得る。ベースバンド処理回路１１０４は、ベースバンド信号の生成及び処理のため、及びＲＦ回路１１０６の動作を制御するために、アプリケーション回路１１０２とインタフェースできる。例えば、幾つかの態様では、ベースバンド回路１１０４は、第２世代（２Ｇ）ベースバンドプロセッサ１１０４ａ、第３世代（３Ｇ）ベースバンドプロセッサ１１０４ｂ、第４世代（４Ｇ）ベースバンドプロセッサ１１０４ｃ、及び／又は既存の世代、開発中の又は将来開発される世代（例えば、第５世代（５Ｇ）、６Ｇ、等）のための他のベースバンドプロセッサ１１０４ｄを有し得る。ベースバンド回路１１０４（例えば、ベースバンドプロセッサ１１０４ａ〜ｄのうちの１又は複数）は、ＲＦ回路１００６を介して１又は複数の無線ネットワークとの通信を可能にする種々の制御機能を扱うことができる。無線制御機能は、限定ではないが、信号変調／復調、符号化／復号化、無線周波数シフト、等を有し得る。幾つかの態様では、ベースバンド回路１１０４の変調／復調回路は、高速フーリエ変換（ＦＦＴ）、プリコーディング、及び／又はコンステレーションマッピング／デマッピング機能を有し得る。幾つかの態様では、ベースバンド回路１１０４の符号化／復号化回路は、畳み込み、テイルバイティング、ターボ、ビタビ、及び／又は低密度パリティ検査（ＬＤＰＣ）エンコーダ／デコーダ機能を有し得る。変調／復調及びエンコーダ／デコーダ機能の態様は、これらの例に限定されず、他の態様において他の適切な機能を含み得る。
【００７５】
幾つかの態様では、ベースバンド回路１１０４は、例えば物理（ＰＨＹ）、媒体アクセス制御（ＭＡＣ）、無線リンク制御（ＲＬＣ）、ＰＤＣＰ（packet  data  convergence  protocol）、及び／又は無線リソース制御（ＲＲＣ）要素を含む、例えばＥＵＴＲＡＮ（evolved  universal  terrestrial  radio  access  network）プロトコルの要素のような、プロトコルスタックの要素を含み得る。ベースバンド回路１１０４の中央処理ユニット（ＣＰＵ）１１０４ｅは、ＰＨＹ、ＭＡＣ、ＲＬＣ、ＰＤＣＰ、及び／又はＲＲＣレイヤのシグナリングのためにプロトコルスタックの要素を実行するよう構成され得る。幾つかの態様では、ベースバンド回路は、１又は複数のオーディオデジタル信号プロセッサ（ＤＳＰ）１１０４ｆを有し得る。オーディオＤＳＰ１１０４ｆは、圧縮／伸長及びエコーキャンセルのための要素を含み、他の態様では他の適切な処理要素を含み得る。ベースバンド回路のコンポーネントは、単一チップ、単一チップセットに適切に結合でき、又は幾つかの態様では同じ回路基板に配置できる。幾つかの実施形態では、ベースバンド回路１１０４及びアプリケーション回路１１０２の構成要素うちの一部又は全部は、例えばシステムオンチップ（ＳＯＣ）のように一緒に実装できる。
【００７６】
幾つかの実施形態では、ベースバンド回路１１０４は、１又は複数の無線技術と互換性のある通信を提供できる。例えば、幾つかの実施形態では、ベースバンド回路１１０４は、ＥＵＴＲＡＮ（evolved  universal  terrestrial  radio  access  network）及び／又は他の無線都市域ネットワーク（ＷＭＡＮ）、無線ローカルエリアネットワーク（ＷＬＡＮ）、又は無線個人域ネットワーク（ＷＰＡＮ）との通信をサポートできる。ベースバンド回路１１０４が１より多くの無線プロトコルの無線通信をサポートするよう構成される態様は、マルチモードベースバンド回路として参照され得る。
【００７７】
ＲＦ回路１１０６は、非固体媒体を通じる変調電磁放射を用いる無線ネットワークとの通信を可能にできる。種々の態様において、ＲＦ回路１１０６は、無線ネットワークとの通信を実現するために、スイッチ、フィルタ、増幅器、等を有し得る。ＲＦ回路１１０６は、ＦＥＭ回路１１０８から受信されるＲＦ信号をダウンコンバートするための回路を有し得る受信信号経路を含み、ベースバンド信号をベースバンド回路１１０４に提供できる。ＲＦ回路１１０６は、ベースバンド回路１１０４により提供されるベースバンド信号をアップコンバートするための回路を含み得る送信信号経路も含み、送信のためにＲＦ出力信号をＦＥＭ回路１１０８へ提供できる。
【００７８】
幾つかの態様では、ＲＦ回路１１０６は、受信信号経路及び送信信号経路を含み得る。ＲＦ回路１１０６の受信信号経路は、ミキサ回路１１０６ａ、増幅器回路１１０６ｂ、及びフィルタ回路１１０６ｃを含み得る。ＲＦ回路１１０６の送信信号経路は、フィルタ回路１１０６ｃ及びミキサ回路１１０６ａを含み得る。ＲＦ回路１１０６は、受信信号経路及び送信信号経路のミキサ回路１１０６ａにより使用するために周波数を合成する合成回路１１０６ｄも有し得る。幾つかの態様では、受信信号経路のミキサ回路１１０６ａは、合成回路１１０６ｄにより提供される合成周波数に基づき、ＦＥＭ回路１１０８から受信されるＲＦ信号をダウンコンバートするよう構成され得る。増幅器回路１１０６ｂは、ダウンコンバートされた信号を増幅するよう構成でき、フィルタ回路１１０６ｃは、ダウンコンバートされた信号から不要信号を除去して出力ベースバンド信号を生成するよう構成されるローパスフィルタ（ＬＰＦ）又はバンパスフィルタ（ＢＰＦ）であり得る。出力ベースバンド信号は、更なる処理のためにベースバンド回路１１０４に提供され得る。幾つかの態様では、出力ベースバンド信号は、ゼロ周波数ベースバンド信号であり得るが、ゼロ周波数ベースバンド信号でなければならないのではない。幾つかの態様では、受信信号経路のミキサ回路１１０６ａは、受動型ミキサを有し得るが、本態様の範囲はこの点において限定されない。
【００７９】
幾つかの態様では、送信信号経路のミキサ回路１１０６ａは、合成回路１１０６ｄにより提供される合成周波数に基づき、入力ベースバンド信号をアップコンバートして、ＦＥＭ回路１１０８のためにＲＦ出力信号を生成するよう構成され得る。ベースバンド信号は、ベースバンド回路１１０４により提供され、フィルタ回路１１０６ｃによりフィルタされ得る。フィルタ回路１１０６ｃは、ローパスフィルタ（ＬＰＦ）を含み得るが、本態様の範囲はこれに関して限定されない。
【００８０】
幾つかの態様では、受信信号経路のミキサ回路１１０６ａ及び送信信号経路のミキサ回路１１０６ａは、２以上のミキサを含み、それぞれ直交ダウンコンバーンジョン及び／又はアップコンバージョンのために配置され得る。幾つかの態様では、受信信号経路のミキサ回路１１０６ａ及び送信信号経路のミキサ回路１１０６ａは、２以上のミキサを含み、イメージ除去（例えば、Hartleyイメージ除去）のために配置され得る。幾つかの態様では、受信信号経路のミキサ回路１１０６ａ及びミキサ回路１１０６ａは、それぞれ、直接ダウンコンバージョン及び／又は直接アップコンバージョンのために配置され得る。幾つかの態様では、受信信号経路のミキサ回路１１０６ａ及び送信信号経路のミキサ回路１１０６ａは、スーパヘテロダイン動作のために構成され得る。
【００８１】
幾つかの態様では、出力ベースバンド信号及び入力ベースバンド信号は、アナログベースバンド信号であり得るが、本態様の範囲はこれに関して限定されない。幾つかの代替の態様では、出力ベースバンド信号及び入力ベースバンド信号は、デジタルベースバンド信号であり得る。これらの代替の態様では、ＲＦ回路１１０６は、アナログ−デジタルコンバータ（ＡＤＣ）及びデジタル−アナログコンバータ（ＤＡＣ）回路を有し得、ベースバンド回路１１０４は、ＲＦ回路１１０６と通信するためにデジタルベースバンドインタフェースを有し得る。
【００８２】
幾つかのデュアルモードの実施形態では、個別無線ＩＣ回路が、各スペクトルの信号を処理するために設けられ得るが、本実施形態の範囲はこれに関して限定されない。
【００８３】
幾つかの実施形態では、合成回路１１０６ｄは、フラクショナルＮ合成器又はフラクショナルＮ／Ｎ＋１合成器であり得るが、本実施形態の範囲はこれに関して限定されず、他の種類の周波数合成器が適切であり得る。例えば、合成回路１１０６ｄは、デルタ−シグマ合成器、周波数逓倍器、又は周波数分周器を備える位相ロックループを有する合成器であり得る。
【００８４】
合成回路１１０６ｄは、周波数入力及び分周器制御入力に基づき、ＲＦ回路１１０６のミキサ回路１１０６ａにより使用される出力周波数を合成するよう構成され得る。幾つかの実施形態では、合成回路１１０６ｄは、フラクショナルＮ／Ｎ＋１合成器であり得る。
【００８５】
幾つかの実施形態では、周波数入力は、電圧制御発振器（ＶＣＯ）により提供できるが、周波数入力はＶＣＯである必要はない。分周器制御入力は、所望の出力周波数に依存して、ベースバンド回路１１０４又はアプリケーションプロセッサ１１０２により提供できる。幾つかの実施形態では、分周器制御入力（例えば、Ｎ）は、アプリケーションプロセッサ１１０２により示されるチャネルに基づき、ルックアップテーブルから決定できる。
【００８６】
ＲＦ回路１１０６の合成回路１１０６ｄは、分周器、遅延ロックループ（ＤＬＬ）、マルチプレクサ、及び位相累算器を有し得る。幾つかの実施形態では、分周器はデュアルモジュラ分周器（ＤＭＤ）であり得、位相累算器はデジタル位相アキュムレータ（ＤＰＡ）であり得る。幾つかの実施形態では、ＤＭＤは、入力信号をＮ又はＮ＋１（例えば、キャリーアウトに基づく）により分周し、フラクショナル分周比を提供できる。幾つかの例示的な実施形態では、ＤＬＬは、カスケードされた可調の、遅延要素、位相検出器、チャージポンプ、及びＤ型フリップフロップのセットを有し得る。これらの実施形態では、遅延要素は、ＶＣＯ期間をＮｄ個の等しい位相パケットに分解するよう構成できる。ここで、Ｎｄは、遅延線の中の遅延要素の数である。このように、ＤＬＬは、遅延線を通して全体の遅延が１つのＶＣＯサイクルであることを保証するのを助けるために負帰還を提供する。
【００８７】
幾つかの実施形態では、合成回路１１０６ｄは、出力周波数として搬送波周波数を生成するよう構成され得る。一方で、他の実施形態では、出力周波数は、搬送波周波数の倍数であり（例えば、搬送波周波数の２倍、搬送波周波数の４倍）、直交生成器及び分周器回路と連携して使用され、互いに対して複数の異なる位相を有する搬送波周波数で複数の信号を生成できる。幾つかの実施形態では、出力周波数は、ＬＯ周波数（ｆＬＯ）であり得る。幾つかの実施形態では、ＲＦ回路１１０６は、ＩＱ／極変換器を含み得る。
【００８８】
ＦＥＭ回路１１０８は、１又は複数のアンテナ１０１０から受信されるＲＦ信号に対して作用し、受信信号を増幅し、受信信号の増幅されたバージョンを更なる処理のためにＲＦ回路１１０６に提供するよう構成される回路を含み得る受信信号経路を有し得る。ＦＥＭ回路１１０８は、１又は複数のアンテナ１１１０のうちの１又は複数による送信のために、ＲＦ回路１１０６により提供される信号を送信のために増幅するよう構成される回路を含み得る送信信号経路も有し得る。
【００８９】
幾つかの実施形態では、ＦＥＭ回路１１０８は、送信モード及び受信モード動作の間で切り替えるために、ＴＸ／ＲＸスイッチを含み得る。ＦＥＭ回路は、受信信号経路及び送信信号経路を含み得る。ＦＥＭ回路の受信信号経路は、受信ＲＦ信号を増幅し増幅した受信ＲＦ信号を出力として（例えば、ＲＦ回路１１０６に）提供するために、低雑音増幅器（ＬＮＡ）を含み得る。ＦＥＭ回路１１０８の送信信号経路は、（例えば、ＲＦ回路１１０６により提供される）入力ＲＦ信号を増幅する電力増幅器（ＰＡ）、及び（例えば、１又は複数のアンテナ１１１０のうちの１又は複数による）後の送信のためにＲＦ信号を生成する１又は複数のフィルタを有し得る。
【００９０】
幾つかの実施形態では、ＵＥ装置１１００は、例えばメモリ／記憶装置、ディスプレイ、カメラ、センサ、及び／又は入力／出力（Ｉ／Ｏ）インタフェースのような追加要素を有し得る。
【００９１】
図１２は、一例による、ノード１２１０（例えば、ｅＮＢ及び／又はサービングＧＰＲＳサポートノード）及び無線装置（例えば、ＵＥ）の図１２００を示す。ノードは、基地局（ＢＳ）、ＮＢ（Node  B）、ｅＮＢ（evolved  Node  B）、ベースバンドユニット（baseband  unit：ＢＢＵ）、ＲＲＨ（remote  radio  head）、ＲＲＥ（remote  radio  equipment）、ＲＲＵ（remote  radio  unit）、又はＣＰＭ（central  processing  module）を有し得る。一態様では、ノードは、サービングＧＰＲＳサポートノードであり得る。ノード１２１０は、ノード装置１２１２を有し得る。ノード装置１２１２又はノード１２１０は、無線装置１２２０と通信するよう構成され得る。ノード装置１２１２は、記載の技術を実装するよう構成され得る。ノード装置１２１２は、処理モジュール１２１４及び通信機モジュール１２１６を有し得る。一態様では、ノード装置１２１２は、ノード１２１０の回路１２１８を形成する通信機モジュール１２１６及び処理モジュール１２１４を有し得る。一態様では、通信機モジュール１２１６及び処理モジュール１２１４は、ノード装置１２１２の回路を形成し得る。処理モジュール１２１４は、１又は複数のプロセッサ及びメモリを含み得る。一態様では、処理モジュール１２２２は、１又は複数のアプリケーションプロセッサを含み得る。通信機モジュール１２１６は、通信機と、１又は複数のプロセッサ及びメモリと、を含み得る。一実施形態では、通信機モジュール１２１６は、ベースバンドプロセッサを含み得る。
【００９２】
無線装置１２２０は、通信機モジュール１２２４及び処理モジュール１２２２を有し得る。処理モジュール１２２２は、１又は複数のプロセッサ及びメモリを含み得る。一態様では、処理モジュール１２２２は、１又は複数のアプリケーションプロセッサを含み得る。通信機モジュール１２２４は、通信機と、１又は複数のプロセッサ及びメモリと、を含み得る。一実施形態では、通信機モジュール１２２４は、ベースバンドプロセッサを含み得る。無線装置１２２０は、記載の技術を実装するよう構成され得る。ノード１２１０及び無線装置１２２０は、通信機モジュール１２１６、１２２４及び／又は処理モジュール１２１４、１２２２のような１又は複数の記憶媒体も含み得る。
【００９３】
＜例＞
以下の例は、特定の技術的実施形態に関し、そのような実施形態を達成する際に使用され又は結合され得る特定の特徴、要素、又はステップに注目させる。
【００９４】
例１は、ユーザ機器（ＵＥ）の装置であって、１又は複数のプロセッサとメモリとの制御下で、ｅＮＢ（enhanced  Node  B）との低遅延同期を達成するために、前記装置は、いずれかの物理アップリンク共有チャネル（ＰＵＳＣＨ）がアイドルであるかどうかを、所定時間期間の間、感知し、ＰＵＳＣＨ送信の中でユニークなＵＥ  ＩＤを提供し、アップリンク同期のために、前記ｅＮＢとの無競合通信について、前記空きＰＵＳＣＨのうちの１つで前記ＰＵＳＣＨ送信を通信する、よう構成される装置を有する。
【００９５】
例２は、前記装置は、アップリンク同期スケジューリングを伴わず、前記ｅＮＢとの前記アイドルＰＵＳＣＨのうちの１つで前記ＰＵＳＣＨ送信を通信するよう更に構成される、例１に記載の装置を有する。
【００９６】
例３は、前記装置は、感知したエネルギが所定閾より低い場合に、ＰＵＳＣＨがアイドルであると感知するよう更に構成される、例１又は２に記載の装置を有する。
【００９７】
例４は、前記装置は、前記ＵＥに知られている複数の感知粒度スリットについて、クリアチャネル評価（ＣＣＡ）又は拡張クリアチャネル評価（ＥＣＣＡ）を実行するよう、又は前記ｅＮＢにシグナリングすることにより前記ＣＣＡ又は前記ＥＣＣＡを実行するよう更に構成される、例１に記載の装置を有する。
【００９８】
例５は、前記装置は、クリアチャネル評価（ＣＣＡ）又は拡張ＣＣＡ（ＥＣＣＡ）の間に前記ＰＵＳＣＨのいずれかがアイドルであるかどうかを感知するよう更に構成され、前記ＣＣＡ又はＥＣＣＡの期間は最小感知粒度に基づく、例１又は４に記載の装置を有する。
【００９９】
例６は、前記装置は、感知したエネルギが、前記ＣＣＡ又は前記ＥＣＣＡの前記期間の間、所定閾より低い場合に、ＰＵＳＣＨがアイドルであると感知するよう更に構成される、例１又は５に記載の装置を有する。
【０１００】
例７は、前記装置は、複数の感知粒度スリットに渡り前記ＥＣＣＡを実行し、前記ＥＣＣＡが及ぶ前記複数の感知粒度スリットの数は、競合ウインドウ（ＣＷ）により決定され、バックオフカウンタとして決定される１から前記ＥＣＣＡが及ぶ前記ＣＷにより決定された前記複数の感知粒度スリットの数までの乱数を生成することにより、前記複数の感知粒度スリットの数を決定し、ＰＵＳＣＨがアイドルであると感知される度に、前記ＥＣＣＡが及ぶ前記複数の感知粒度スリットの数を減少させる、よう更に構成される、例１又は５に記載の装置を有する。
【０１０１】
例８は、前記装置は、前記ＰＵＳＣＨがアイドルであると感知される度に、ＥＣＣＡカウンタを１の倍数で減少させ、送信のために、シンボル境界に揃うように予約信号を処理し、又は、送信のために、次のシンボルを開始するよう前記予約信号を処理する、よう更に構成される、例１又は７に記載の装置を有する。
【０１０２】
例９は、前記装置は、  現在送信試行が不成功かどうかを感知するよう更に構成され、前記ＵＥは、新しい乱数を生成せずに、ＥＣＣＡカウンタの現在カウンタを用いて、後続サブフレームで前記ＥＣＣＡを実行し続ける、例８に記載の装置を有する。
【０１０３】
例１０は、前記装置は、現在送信試行が不成功かどうかを感知し、前記ＵＥは、次の送信試行、例えば後続サブフレームの中で新しいバックオフカウンタを再生成することにより、前記ＣＣＡ及び前記ＥＣＣＡで構成されるトーク手順の前に傾聴を実行し、特定数のシンボルＭについて、シンボル０で開始するリッスンビフォートーク（ＬＢＴ）手順を実行し、前記ＰＵＳＣＨ送信は、前記サブフレームの中でシンボルＭ＋１から開始しシンボル１４で終了し、Ｍは正整数であり、サウンディング参照信号（ＳＲＳ）は前記シンボル１４で送信され、前記シンボル１４のパンクチャリングは除去される、よう更に構成される、例１又は９に記載の装置を有する。
【０１０４】
例１１は、前記装置は、前記ＰＵＳＣＨ送信を通信するために、アイドルである前記ＰＵＳＣＨのうちの１つを予約するよう更に構成される、例１に記載の装置を有する。
【０１０５】
例１２は、前記ユニークなＵＥ  ＩＤは、セル無線ネットワーク一時識別子（Ｃ−ＲＮＴＩ）又は無線ネットワーク一時識別子（ＲＮＴＩ）のうちの１つである、例１又は１１に記載の装置を有する。
【０１０６】
例１３は、前記ＰＵＳＣＨ送信の通信は、前記ＵＥの媒体アクセス制御（ＭＡＣ）バッファにＵＬパケットが到着すると、実行される、例１に記載の装置を有する。
【０１０７】
例１４は、前記ＰＵＳＣＨ送信は、リソースブロック内のサブキャリアに対応する複数のシンボルで構成され、前記装置は、前記ＰＵＳＣＨがアイドルであることを感知するために前記複数のシンボルのうちの少なくとも１つを使用し、前記ＰＵＳＣＨ送信のために前記複数のシンボルのうちの残りの数を使用するよう更に構成される、例１又は１３に記載の装置を有する。
【０１０８】
例１５は、前記装置は、前記ＵＬ送信のために変調符号化方式（ＭＣＳ）を使用するよ更に構成され、前記ＭＣＳは最低ＭＳＣにより予め定められる、例１に記載の装置を有する。
【０１０９】
例１６は、前記装置は、前記ＰＵＳＣＨがアイドルであると感知するためにプリアンブルシグナリングを使用するよう更に構成される、例１又は１５に記載の装置を有する。
【０１１０】
例１７は、前記装置は、前記ＰＵＳＣＨがアイドルであると感知するために、追加プリアンブル信号を使用するよう更に構成され、前記追加プリアンブル信号は、無線ネットワーク一時識別子（ＲＮＴＩ）又は及び復調のためのＤＭＲＳ信号を含み、前記ＤＭＲＳ信号はＰＵＳＣＨ送信バーストの間、除去される、例１に記載の装置を有する。
【０１１１】
例１８は、前記装置は、ハイブリッド自動再送要求（ＨＡＲＱ）動作の中で前記ＰＵＳＣＨ送信を通信するよう更に構成される、例１又は１７に記載の装置を有する。
【０１１２】
例１９は、前記装置は、前記ＵＥが物理ＨＡＲＱ指示チャネル（ＰＨＩＣＨ）の中で否定応答（ＮＡＣＫ）を受信すると、再送のために、前記ＰＵＳＣＨ送信を処理するよう更に構成される、例１８に記載の装置を有する。
【０１１３】
例２０は、前記ＰＵＳＣＨ送信の前記再送は、ＵＬ許可に基づく又は前記ＵＬ許可の中でトグルする新規データ指示子（ＮＤＩ）に基づく、例１又は１９に記載の装置を有する。
【０１１４】
例２１は、前記装置は、構成された時間又は周波数領域の中で前記ＰＵＳＣＨ送信を通信するよう更に構成される、例１に記載の装置を有する。
【０１１５】
例３３は、前記装置は、代替ＵＥから前記ＵＥを、異なる競合ウインドウを有する異なる競合ゾーンに適応して分けるよう更に構成され、前記競合ゾーンの各々は遅延制約に従い動的に又は準静的に適応される、例１又は２１に記載の装置を有する。
【０１１６】
例２３は、前記装置は、アンテナ、タッチ感応ディスプレイスクリーン、スピーカ、マイクロフォン、グラフィックプロセッサ、アプリケーションプロセッサ、ベースバンドプロセッサ、内部メモリ、不揮発性メモリポート及びそれらの組合せのうちの少なくとも１つを有する、例１に記載の装置を含む。
【０１１７】
例２４は、ユーザ機器（ＵＥ）との無競合アップリンク（ＵＬ）同期を達成するよう動作可能なアンカーｅＮＢ（enhanced  Node  B）の装置であって、前記装置は、所定時間期間の間のアイドル物理アップリンク共有チャネル（ＰＵＳＣＨ）感知に続き、前記ＵＥから受信したＰＵＳＣＨ送信を処理し、前記ＰＵＳＣＨ送信の中でユニークなＵＥ  ＩＤを受信し、前記無競合ＵＬ同期のために、前記ＰＵＳＣＨ送信の中の前記ユニークなＵＥ  ＩＤにより前記ＵＥのアイデンティティを決定する、よう構成される、装置を有する。
【０１１８】
例２５は、前記装置は、復調参照信号（ＤＭＲＳ）に基づき、ブラインドＵＥ検出を実行するよう更に構成される、例２４に記載の装置を有する。
【０１１９】
例２６は、前記装置は、一定振幅ゼロ自己相関波形（ＣＡＺＡＣ）シーケンスを用いて復調参照信号（ＤＭＲＳ）シーケンスを生成するよう更に構成され、前記ＣＡＺＡＣシーケンスはＺａｄｏｆｆ−Ｃｈｕ（ＺＣ）シーケンスである、例２４又は２５に記載の装置を有する。
【０１２０】
例２７は、前記装置は、ＵＬ同期スケジューリングを伴わず、前記アイドルＰＵＳＣＨのうちの１つで前記ＵＥから受信された前記ＰＵＳＣＨ送信を処理するよう更に構成される、例２４に記載の装置を有する。
【０１２１】
例２８は、前記装置は、前記ＰＵＳＣＨ送信を受信するために、アイドルである複数のＰＵＳＣＨのうちの１つを予約する、前記ＵＥから受信された予約信号を処理するよう更に構成される、例２４又は２７に記載の装置を有する。
【０１２２】
例２９は、前記装置は、前記ＵＥの媒体アクセス制御（ＭＡＣ）バッファにＵＬパケットが到着すると、前記ＵＥから受信した前記ＰＵＳＣＨ送信を処理するよう更に構成される、例２４に記載の装置を有する。
【０１２３】
例３０は、前記装置は、前記ＵＬ送信のために変調符号化方式（ＭＣＳ）を使用し、前記ＭＣＳは、最低ＭＣＳにより予め定められ、ハイブリッド自動再送要求（ＨＡＲＱ）動作の中で受信した前記ＰＵＳＣＨ送信を処理し、前記ＰＵＳＣＨ送信を再送信するよう前記ＵＥをトリガするために、送信のために、前記ＵＥへ物理ＨＡＲＱ指示チャネルの中の否定応答（ＮＡＣＫ）を処理する、よう更に構成される、例２４又は２９に記載の装置を有する。
【０１２４】
例３１は、前記装置は、前記ＰＵＳＣＨ送信の前記再送信のために、送信のために、前記ＵＥへの前記ＵＬ許可又は前記ＵＬ許可の中でトグルする新規データ指示子（ＮＤＩ）を処理し、構成された時間又は周波数領域の中で受信した前記ＰＵＳＣＨ送信を処理し、前記ＰＵＳＣＨ送信の受信に成功するために異なる競合ウインドウを有する新しい競合ゾーンを生成すること又は現在使用される競合ゾーンを減少させることにより、前記ＵＥと代替ＵＥとの間のセル衝突を決定すると、競合ウインドウを動的に又は準静的に適応し又は割り当てる、よう更に構成される、例２４又は２９に記載の装置を有する。
【０１２５】
例３２は、ユーザ機器（ＵＥ）の装置であって、１又は複数のプロセッサとメモリとの制御下で、ｅＮＢ（enhanced  Node  B）との低遅延同期を達成するために、前記装置は、いずれかの物理アップリンク共有チャネル（ＰＵＳＣＨ）がアイドルであるかどうかを、所定時間期間の間、感知し、ＰＵＳＣＨ送信の中でユニークなＵＥ  ＩＤを提供し、アップリンク同期のために、前記ｅＮＢとの無競合通信について、前記空きＰＵＳＣＨのうちの１つで前記ＰＵＳＣＨ送信を通信する、よう構成される装置を有する。
【０１２６】
例３３は、前記装置は、アップリンク同期スケジューリングを伴わず、前記ｅＮＢとの前記アイドルＰＵＳＣＨのうちの１つで前記ＰＵＳＣＨ送信を通信するよう更に構成される、例３２に記載の装置を有する。
【０１２７】
例３４は、前記装置は、感知したエネルギが所定閾より低い場合に、ＰＵＳＣＨがアイドルであると感知するよう更に構成される、例３２に記載の装置を有する。
【０１２８】
例３５は、前記装置は、前記ＵＥに知られている複数の感知粒度スリットについて、クリアチャネル評価（ＣＣＡ）又は拡張クリアチャネル評価（ＥＣＣＡ）を実行するよう、又は前記ｅＮＢにシグナリングすることにより前記ＣＣＡ又は前記ＥＣＣＡを実行するよう更に構成される、例３２に記載の装置を有する。
【０１２９】
例３６は、前記装置は、クリアチャネル評価（ＣＣＡ）又は拡張ＣＣＡ（ＥＣＣＡ）の間に前記ＰＵＳＣＨのいずれかがアイドルであるかどうかを感知するよう更に構成され、前記ＣＣＡ又はＥＣＣＡの期間は最小感知粒度に基づく、例３２に記載の装置を有する。
【０１３０】
例３７は、前記装置は、感知したエネルギが、前記ＣＣＡ又は前記ＥＣＣＡの前記期間の間、所定閾より低い場合に、ＰＵＳＣＨがアイドルであると感知するよう更に構成される、例３６に記載の装置を有する。
【０１３１】
例３８は、前記装置は、複数の感知粒度スリットに渡り前記ＥＣＣＡを実行し、前記ＥＣＣＡが及ぶ前記複数の感知粒度スリットの数は、競合ウインドウ（ＣＷ）により決定され、バックオフカウンタとして決定される１から前記ＥＣＣＡが及ぶ前記ＣＷにより決定された前記複数の感知粒度スリットの数までの乱数を生成することにより、前記複数の感知粒度スリットの数を決定し、ＰＵＳＣＨがアイドルであると感知される度に、前記ＥＣＣＡが及ぶ前記複数の感知粒度スリットの数を減少させる、よう更に構成される、例３６に記載の装置を有する。
【０１３２】
例３９は、前記装置は、前記ＰＵＳＣＨがアイドルであると感知される度に、ＥＣＣＡカウンタを１の倍数で減少させ、送信のために、シンボル境界に揃うように予約信号を処理し、又は、送信のために、次のシンボルを開始するよう前記予約信号を処理する、よう更に構成される、例３８に記載の装置を有する。
【０１３３】
例４０は、前記装置は、現在送信試行が不成功かどうかを感知するよう更に構成され、前記ＵＥは、新しい乱数を生成せずに、ＥＣＣＡカウンタの現在カウンタを用いて、後続サブフレームで前記ＥＣＣＡを実行し続ける、例３９に記載の装置を有する。
【０１３４】
例４１は、前記装置は、現在送信試行が不成功かどうかを感知し、前記ＵＥは、次の送信試行、例えば後続サブフレームの中で新しいバックオフカウンタを再生成することにより、前記ＣＣＡ及び前記ＥＣＣＡで構成されるトーク手順の前に傾聴を実行し、特定数のシンボルＭについて、シンボル０で開始するリッスンビフォートーク（ＬＢＴ）手順を実行し、前記ＰＵＳＣＨ送信は、前記サブフレームの中でシンボルＭ＋１から開始しシンボル１４で終了し、Ｍは正整数であり、サウンディング参照信号（ＳＲＳ）は前記シンボル１４で送信され、前記シンボル１４のパンクチャリングは除去される、よう更に構成される、例４０に記載の装置を有する。
【０１３５】
例４２は、前記装置は、前記ＰＵＳＣＨ送信を通信するために、アイドルである前記ＰＵＳＣＨのうちの１つを予約するよう更に構成される、例４１に記載の装置を有する。
【０１３６】
例４３は、前記ユニークなＵＥ  ＩＤは、セル無線ネットワーク一時識別子（Ｃ−ＲＮＴＩ）又は無線ネットワーク一時識別子（ＲＮＴＩ）のうちの１つである、例４２に記載の装置を有する。
【０１３７】
例４４は、前記ＰＵＳＣＨ送信の通信は、前記ＵＥの媒体アクセス制御（ＭＡＣ）バッファにＵＬパケットが到着すると、実行される、例３２に記載の装置を有する。
【０１３８】
例４５は、前記ＰＵＳＣＨ送信は、リソースブロック内のサブキャリアに対応する複数のシンボルで構成され、前記装置は、前記ＰＵＳＣＨがアイドルであることを感知するために前記複数のシンボルのうちの少なくとも１つを使用し、前記ＰＵＳＣＨ送信のために前記複数のシンボルのうちの残りの数を使用するよう更に構成される、例３２に記載の装置を有する。
【０１３９】
例４６は、前記装置は、前記ＵＬ送信のために変調符号化方式（ＭＣＳ）を使用するよ更に構成され、前記ＭＣＳは最低ＭＳＣにより予め定められる、例３２に記載の装置を有する。
【０１４０】
例４７は、前記装置は、前記ＰＵＳＣＨがアイドルであると感知するためにプリアンブルシグナリングを使用するよう更に構成される、例３２に記載の装置を有する。
【０１４１】
例４８は、前記装置は、前記ＰＵＳＣＨがアイドルであると感知するために、追加プリアンブル信号を使用するよう更に構成され、前記追加プリアンブル信号は、無線ネットワーク一時識別子（ＲＮＴＩ）又は及び復調のためのＤＭＲＳ信号を含み、前記ＤＭＲＳ信号はＰＵＳＣＨ送信バーストの間、除去される、例３２に記載の装置を有する。
【０１４２】
例４９は、前記装置は、ハイブリッド自動再送要求（ＨＡＲＱ）動作の中で前記ＰＵＳＣＨ送信を通信するよう更に構成される、例４８に記載の装置を有する。
【０１４３】
例５０は、前記装置は、前記ＵＥが物理ＨＡＲＱ指示チャネル（ＰＨＩＣＨ）の中で否定応答（ＮＡＣＫ）を受信すると、再送のために、前記ＰＵＳＣＨ送信を処理するよう更に構成される、例４９に記載の装置を有する。
【０１４４】
例５１は、前記ＰＵＳＣＨ送信の前記再送は、ＵＬ許可に基づく又は前記ＵＬ許可の中でトグルする新規データ指示子（ＮＤＩ）に基づく、例３２に記載の装置を有する。
【０１４５】
例５２は、前記装置は、構成された時間又は周波数領域の中で前記ＰＵＳＣＨ送信を通信するよう更に構成される、例３２に記載の装置を有する。
【０１４６】
例５３は、前記装置は、代替ＵＥから前記ＵＥを、異なる競合ウインドウを有する異なる競合ゾーンに適応して分けるよう更に構成され、前記競合ゾーンの各々は遅延制約に従い動的に又は準静的に適応される、例３２に記載の装置を有する。
【０１４７】
例５４は、前記装置は、アンテナ、タッチ感応ディスプレイスクリーン、スピーカ、マイクロフォン、グラフィックプロセッサ、アプリケーションプロセッサ、ベースバンドプロセッサ、内部メモリ、不揮発性メモリポート及びそれらの組合せのうちの少なくとも１つを有する、例３２に記載の装置を含む。
【０１４８】
例５５は、ユーザ機器（ＵＥ）との無競合アップリンク（ＵＬ）同期を達成するよう動作可能なアンカーｅＮＢ（enhanced  Node  B）の装置であって、前記装置は、所定時間期間の間のアイドル物理アップリンク共有チャネル（ＰＵＳＣＨ）感知に続き、前記ＵＥから受信したＰＵＳＣＨ送信を処理し、前記ＰＵＳＣＨ送信の中でユニークなＵＥ  ＩＤを受信し、前記無競合ＵＬ同期のために、前記ＰＵＳＣＨ送信の中の前記ユニークなＵＥ  ＩＤにより前記ＵＥのアイデンティティを決定する、よう構成される、装置を有する。
【０１４９】
例５６は、前記装置は、復調参照信号（ＤＭＲＳ）に基づき、ブラインドＵＥ検出を実行するよう更に構成される、例５５に記載の装置を有する。
【０１５０】
例５７は、前記装置は、一定振幅ゼロ自己相関波形（ＣＡＺＡＣ）シーケンスを用いて復調参照信号（ＤＭＲＳ）シーケンスを生成するよう更に構成され、前記ＣＡＺＡＣシーケンスはＺａｄｏｆｆ−Ｃｈｕ（ＺＣ）シーケンスである、例５５に記載の装置を有する。
【０１５１】
例５８は、前記装置は、ＵＬ同期スケジューリングを伴わず、前記アイドルＰＵＳＣＨのうちの１つで前記ＵＥから受信された前記ＰＵＳＣＨ送信を処理するよう更に構成される、例５５に記載の装置を有する。
【０１５２】
例５９は、前記装置は、前記ＰＵＳＣＨ送信を受信するために、アイドルである複数のＰＵＳＣＨのうちの１つを予約する、前記ＵＥから受信された予約信号を処理するよう更に構成される、例５５に記載の装置を有する。
【０１５３】
例６０は、前記装置は、前記ＵＥの媒体アクセス制御（ＭＡＣ）バッファにＵＬパケットが到着すると、前記ＵＥから受信した前記ＰＵＳＣＨ送信を処理するよう更に構成される、例５５に記載の装置を有する。
【０１５４】
例６１は、前記装置は、前記ＵＬ送信のために変調符号化方式（ＭＣＳ）を使用し、前記ＭＣＳは、最低ＭＣＳにより予め定められ、ハイブリッド自動再送要求（ＨＡＲＱ）動作の中で受信した前記ＰＵＳＣＨ送信を処理し、前記ＰＵＳＣＨ送信を再送信するよう前記ＵＥをトリガするために、送信のために、前記ＵＥへ物理ＨＡＲＱ指示チャネルの中の否定応答（ＮＡＣＫ）を処理する、よう更に構成される、例５５に記載の装置を有する。
【０１５５】
例６２は、前記装置は、前記ＰＵＳＣＨ送信の前記再送信のために、送信のために、前記ＵＥへの前記ＵＬ許可又は前記ＵＬ許可の中でトグルする新規データ指示子（ＮＤＩ）を処理し、構成された時間又は周波数領域の中で受信した前記ＰＵＳＣＨ送信を処理し、前記ＰＵＳＣＨ送信の受信に成功するために異なる競合ウインドウを有する新しい競合ゾーンを生成すること又は現在使用される競合ゾーンを減少させることにより、前記ＵＥと代替ＵＥとの間のセル衝突を決定すると、競合ウインドウを動的に又は準静的に適応し又は割り当てる、よう更に構成される、例５５に記載の装置を有する。
【０１５６】
例６３は、ユーザ機器（ＵＥ）の装置であって、１又は複数のプロセッサとメモリとの制御下で、ｅＮＢ（enhanced  Node  B）との低遅延同期を達成するために、前記装置は、いずれかの物理アップリンク共有チャネル（ＰＵＳＣＨ）がアイドルであるかどうかを、所定時間期間の間、感知し、ＰＵＳＣＨ送信の中でユニークなＵＥ  ＩＤを提供し、アップリンク同期のために、前記ｅＮＢとの無競合通信について、前記空きＰＵＳＣＨのうちの１つで前記ＰＵＳＣＨ送信を通信する、よう構成される装置を有する。
【０１５７】
例６４は、前記装置は、アップリンク同期スケジューリングを伴わずに、前記ｅＮＢとの前記アイドルＰＵＳＣＨのうちの１つで前記ＰＵＳＣＨ送信を通信し、感知したエネルギが所定閾より低い場合にＰＵＳＣＨがアイドルであることを感知し、前記ＵＥに知られている複数の感知粒度スリットに対してクリアチャネル評価（ＣＣＡ）又は拡張クリアチャネル評価（ＥＣＣＡ）を実行し、又はｅＮＢにシグナリングすることによりＣＣＡ又はＥＣＣＡを実行し、或いは、ＣＣＡ及び拡張ＣＣＡ（ＥＣＣＡ）の間に前記ＰＵＳＣＨのうちのいずれかがアイドルであることを感知し、前記ＣＣＡ又はＥＣＣＡの期間は最小感知粒度に基づく、よう更に構成される、例６３に記載の装置を有する
例６５は、前記装置は、感知したエネルギが、前記ＣＣＡ又は前記ＥＣＣＡの前記期間の間、所定閾より低い場合に、ＰＵＳＣＨがアイドルであると感知するよう更に構成される、例６３又は６４に記載の装置を有する。
【０１５８】
例６６では、前記装置は、複数の感知粒度スリットに渡り前記ＥＣＣＡを実行し、前記ＥＣＣＡが及ぶ前記複数の感知粒度スリットの数は、競合ウインドウ（ＣＷ）により決定され、バックオフカウンタとして決定される１から前記ＥＣＣＡが及ぶ前記ＣＷにより決定された前記複数の感知粒度スリットの数までの乱数を生成することにより、前記複数の感知粒度スリットの数を決定し、ＰＵＳＣＨがアイドルであると感知される度に、前記ＥＣＣＡが及ぶ前記複数の感知粒度スリットの数を減少させる、よう更に構成される、例６３又はここに記載の例のいずれかに記載の装置を有する。
【０１５９】
例６７では、前記装置は、前記ＰＵＳＣＨがアイドルであると感知される度に、ＥＣＣＡカウンタを１の倍数で減少させ、送信のために、シンボル境界に揃うように予約信号を処理し、又は、送信のために、次のシンボルを開始するよう前記予約信号を処理する、よう更に構成される、例６３又はここに記載の例のいずれかに記載の装置を有する。
【０１６０】
例６８では、前記装置は、現在送信試行が不成功かどうかを感知し、前記ＵＥは新しい乱数を生成せずにＥＣＣＡカウンタの現在カウンタを用いて、後続のサブフレームの中でＥＣＣＡを実行し続け、現在送信試行が不成功であるかどうかを感知し、前記ＵＥは、次の送信試行、例えば後続のサブフレームの中で新しいバックオフカウンタを再生成することにより、ＣＣＡ及びＥＣＣＡで構成されるリッスンビフォートーク（ＬＢＴ）手順を実行し、又は、特定数のシンボルＭについてシンボル０で開始するリッスンビフォートーク（ＬＢＴ）手順を実行し、前記ＰＵＳＣＨ送信は前記サブフレーム内のシンボルＭ＋１で開始しシンボル１４で終了し、Ｍは正整数であり、サウンディング参照信号（ＳＲＳ）はシンボル１４で送信され、シンボル１４のパンクチャリングは削除される、よう更に構成される例６３又はここに記載の例のいずれかに記載の装置を有する。
【０１６１】
例６９では、前記装置は、前記ＰＵＳＣＨ送信を通信するためにアイドルである前記ＰＵＳＣＨのうちの１つを予約し、前記ユニークなＵＥ  ＩＤはセル無線ネットワーク一時識別子（Ｃ−ＲＮＴＩ）又は無線ネットワーク一時識別子（ＲＮＴＩ）のうちの１つであり、前記ＰＵＳＣＨ送信の通信は、前記ＵＥの媒体アクセス制御（ＭＡＣ）バッファにＵＬパケットが到着すると実行され、前記ＰＵＳＣＨ送信は、前記ＰＵＳＣＨがアイドルであることを感知するために前記複数のシンボルのうちの少なくとも１つを使用するよう構成され、一方で、前記ＰＵＳＣＨ送信のために前記複数のシンボルのうちの残りの数を使用する、よう更に構成される例６３又はここに記載の例のいずれかに記載の装置を有する。
【０１６２】
例７０では、前記装置は、前記ＵＬ送信のために変調符号化方式（ＭＣＳ）を使用し、前記ＭＣＳは最低ＭＣＳにより予め定めることができ、前記ＰＵＳＣＨがアイドルであることを感知するためにプリアンブルシグナリングを使用し、前記ＰＵＳＣＨがアイドルであることを感知するために追加プリアンブル信号を使用し、前記追加プリアンブル信号は、無線ネットワーク一時識別子（ＲＮＴＩ）又は及び復調のためのＤＭＲＳ信号を含み、前記ＤＭＲＳ信号はＰＵＳＣＨ送信バーストの間、除去され、又はハイブリッド自動再送要求（ＨＡＲＱ）動作の中で前記ＰＵＳＣＨ送信を通信する、よう更に構成される、例６３又はここに記載の例のいずれかに記載の装置を有する。
【０１６３】
例７１では、前記装置は、前記ＵＥが物理ＨＡＲＱ指示チャネル（ＰＨＩＣＨ）の中で否定応答（ＮＡＣＫ）を受信すると、前記ＰＵＳＣＨ送信を再送信のために処理し、前記ＰＵＳＣＨ送信の再送信はＵＬ許可に基づき又は前記ＵＬ許可の中でトグルする新規データ指示子（ＮＤＩ）に基づき、代替ＵＥから前記ＵＥを異なる競合ウインドウを有する構成された時間又は周波数ゾーンに適応的に分け、前記競合ゾーンの各々は、遅延制約に従い動的に又は準静的に適応され、前記装置は、アンテナ、タッチ感応ディスプレイスクリーン、スピーカ、マイクロフォン、グラフィックプロセッサ、アプリケーションプロセッサ、ベースバンドプロセッサ、内部メモリ、不揮発性メモリポート、及びそれらの組合せのうちの少なくとも１つを有する、例６３又はここに記載の例のうちのいずれかに記載の装置を有する。
【０１６４】
例７２は、ユーザ機器（ＵＥ）との無競合アップリンク（ＵＬ）同期を達成するよう動作可能なアンカーｅＮＢ（enhanced  Node  B）の装置であって、前記装置は、所定時間期間の間のアイドル物理アップリンク共有チャネル（ＰＵＳＣＨ）感知に続き、前記ＵＥから受信したＰＵＳＣＨ送信を処理し、前記ＰＵＳＣＨ送信の中でユニークなＵＥ  ＩＤを受信し、前記無競合ＵＬ同期のために、前記ＰＵＳＣＨ送信の中の前記ユニークなＵＥ  ＩＤにより前記ＵＥのアイデンティティを決定する、よう構成される、装置を有する。
【０１６５】
例７３は、前記装置は、復調参照信号（ＤＭＲＳ）に基づき、ブラインドＵＥ検出を実行するよう更に構成される、例７２に記載の装置を有する。
【０１６６】
例７４は、前記装置は、一定振幅ゼロ自己相関波形（ＣＡＺＡＣ）シーケンスを用いて復調参照信号（ＤＭＲＳ）シーケンスを生成するよう更に構成され、前記ＣＡＺＡＣシーケンスはＺａｄｏｆｆ−Ｃｈｕ（ＺＣ）シーケンスである、例７２又は７３に記載の装置を有する。
【０１６７】
例７５は、前記装置は、ＵＬ同期スケジューリング無しに前記アイドルＰＵＳＣＨのうちの１つで前記ＵＥから受信された前記ＰＵＳＣＨ送信を処理し、又は前記ＰＵＳＣＨ送信を受信するために、アイドルである複数のＰＵＳＣＨのうちの１つを予約するために、前記ＵＥから受信された予約信号を処理する、よう更に構成される例７２又はここに記載の例の何れかに記載の装置を有する。
【０１６８】
例７６は、前記装置は、前記ＵＥの媒体アクセス制御（ＭＡＣ）バッファにＵＬパケットが到着すると、前記ＵＥから受信した前記ＰＵＳＣＨ送信を処理するよう更に構成される、例７２又はここに記載の例の何れかに記載の装置を有する。
【０１６９】
例７７は、前記装置は、前記ＵＬ送信の変調符号化方式（ＭＣＳ）を使用し、前記ＭＣＳは最低ＭＣＳにより予め定められ、ハイブリッド自動再送要求（ＨＡＲＱ）動作の中で受信した前記ＰＵＳＣＨ送信を処理し、前記ＰＵＳＣＨ送信を再送信するよう前記ＵＥをトリガするために、前記ＵＥへの物理ＨＡＲＱ指示チャネル内の否定応答（ＮＡＣＫ）を送信のために処理し、前記ＰＵＳＣＨ送信の前記再送信のための前記ＵＥへのＵＬ許可又は前記ＵＬ許可の中でトグルする新規データ指示子（ＮＤＩ）を送信のために処理し、構成された時間又は周波数領域で受信した前記ＰＵＳＣＨ送信を処理し、又は、前記ＰＵＳＣＨ送信の受信に成功するために異なる競合ウインドウを有する新しい競合ゾーンを生成すること又は現在使用されている競合ゾーンを減少させることにより、前記ＵＥと代替ＵＥとの間のセル衝突を決定すると、競合ウインドウを動的に又は準静的に適応し若しくは割り当てる、よう更に構成される例７２又はここに記載の例のいずれかに記載の装置を有する。
【０１７０】
例７８は、アンカーｅＮＢ（enhanced  Node  B）との低遅延同期を達成する装置であって、前記装置は、所定時間期間の間、アップリンク（ＵＬ）同期のために前記ｅＮＢとの、いずれかの物理アップリンク共有チャネル（ＰＵＳＣＨ）がアイドルであるかどうかを感知する手段と、ＰＵＳＣＨ送信の中でユニークなＵＥ  ＩＤを提供する手段と、アップリンク同期のために前記ｅＮＢとの無競合通信のために前記アイドルＰＵＳＣＨのうちの１つで前記ＰＵＳＣＨ送信を通信する手段と、を有する装置を有する。
【０１７１】
例７９は、ユーザ機器（ＵＥ）との低遅延同期を達成する装置であって、前記装置は、前記ＵＥが所定時間期間の間にアンカーｅＮＢとの物理アップリンク共有チャネル（ＰＵＳＣＨ）がアイドルであることを感知することに続き、前記ＵＥから前記ＵＬ同期のためにＰＵＳＣＨ送信を受信する手段と、前記ＰＵＳＣＨ送信の中でユニークなＵＥ  ＩＤを受信する手段と、無競合ＵＬ同期のために前記ＰＵＳＣＨ送信の中の前記ユニークなＵＥ  ＩＤにより前記ＵＥのアイデンティティを決定する手段と、を有する装置を有する。
【０１７２】
例７９は、ユーザ機器（ＵＥ）との無競合アップリンク（ＵＬ）同期動作の可能なアンカーｅＮＢ（enhanced  Node  B）の装置であって、前記装置は、所定時間期間の間のアイドル物理アップリンク共有チャネル（ＰＵＳＣＨ）感知に続き、前記ＵＥから受信したＰＵＳＣＨ送信を処理し、前記ｅＮＢにより受信した前記ＰＵＳＣＨ送信の中のユニークなＵＥ  ＩＤを処理し、前記無競合ＵＬ同期のために、前記ＰＵＳＣＨ送信の中の前記ユニークなＵＥ  ＩＤにより前記ＵＥのアイデンティティを決定し、復調参照信号（ＤＭＲＳ）に基づきブラインドＵＥ検出を実行する、よう構成される、装置を有する。
【０１７３】
ここで使用されるように、用語「プロセッサ」は、汎用プロセッサ、ＶＬＳＩ、ＦＰＧＡのような専用プロセッサ、又は他の種類の専用プロセッサ、並びに、無線通信を送信し、受信し、及び処理するために通信機内で使用されるベースバンドプロセッサを含み得る。
【０１７４】
理解されるべきことに、本願明細書に記載の機能ユニットの多くは、それらの実装独立性を特に強調するために、モジュールとしてラベル付けされた。例えば、モジュールは、カスタムＶＬＳＩ（very−large−scale  integration）回路又はゲートアレイ、ロジックチップ、トランジスタ若しくは他の個別部品のようなオフザシェルフ（off−the−shelf）半導体を有するハードウェア回路として実装され得る。モジュールは、フィールドプログラマブルゲートアレイ、プログラマブルアレイロジック、プログラマブルロジックデバイス、等のようなプログラマブルハードウェア素子内に実装され得る。
【０１７５】
モジュールは、種々の種類のプロセッサにより実行されるソフトウェアで実装され得る。例えば、実行可能コードの識別されるモジュールは、例えばオブジェクト、プロシジャ又は関数として編成され得るコンピュータ命令の１又は複数の物理又は論理ブロックを有し得る。しかしながら、識別されるモジュールの実行ファイルは、物理的に一緒に配置される必要はなく、論理的に一緒にされるとモジュールを有しモジュールの提示される目的を達成する異なる場所に格納される別個の命令を有し得る。
【０１７６】
実際に、実行可能コードのモジュールは、単一命令又は多くの命令であり、幾つかの異なるコードセグメントに渡り、異なるプログラムの間で、及び幾つかのメモリ装置に渡り分散され得る。同様に、運用データは、ここにモジュール内で識別され示され、任意の適切な形式で実装され、任意の適切な種類のデータ構造で編成され得る。運用データは、単一データセットとして集められ、異なる記憶装置に渡ることを含む異なる場所に渡り分散され、少なくとも部分的にシステム又はネットワーク上の電子信号として単に存在し得る。モジュールは、所望の機能を実行するよう動作するエージェントを含み、受動的又は能動的であり得る。
【０１７７】
本願明細書を通じて「一例」又は「例示的」という言及は、その例と関連して記載された特定の特徴、構造、機能又は特性が本発明の技術の少なくとも１つの実施形態に含まれることを意味する。したがって、本願明細書を通じて種々の場所にある「一例では」という表現又は「例示的な」という語の出現は、必ずしも全て同じ実施形態を参照していない。
【０１７８】
ここで用いられるように、複数の用語、構造的要素、組成要素、及び／又は材料は、便宜のために共通のリストに現れ得る。しかしながら、これらのリストは、該リストの各構成要素が別個の及びユニークな構成要素として個々に識別されるものと考えられるべきである。したがって、このようなリストのいかなる個々の構成要素も、断りのない限り、事実上、共通グループ内での出現に基づき同じリストの任意の他の構成要素の等価物として考えられるべきである。さらに、本発明の技術の種々の実施形態及び例は、その種々の成分の代替物とともにここで言及され得る。理解されるべきことに、このような実施形態、例、及び代替は、事実上互いの等価物として考えられるべきではないが、本発明の技術の別個の及び自主的表現として考えられるべきである。
【０１７９】
更に、記載の特徴、構造又は特性は、１又は複数の実施形態において、任意の適切な方法で結合され得る。以下の記載では、本技術の実施形態の完全な理解を提供するために、レイアウトの例、距離、ネットワーク例、等のような多くの特定の詳細事項が提供される。しかしながら、当業者は、本技術が特定の詳細事項のうちの１又は複数がなくても又は他の方法、コンポーネント、レイアウト、等で実施できることを理解するだろう。他の例では、良く知られた構造、材料又は動作は、本技術の態様を不明瞭にしないために詳細に示されず又は記載されない。
前述の例は１又は複数の特定の用途における本発明の技術の原理の説明であるが、当業者には、発明力を行使しないで及び本技術の原理及び概念から逸脱することなく、実装の形式、使用方法及び詳細事項において多くの変更を行うことができることが明らかである。したがって、以下に記載の請求の範囲を除いて、本技術は限定されるものではない。
【図１】
0006774961.tif 000004
【図２】
0006774961.tif 000005
【図３】
0006774961.tif 000006
【図４】
0006774961.tif 000007
【図５】
0006774961.tif 000008
【図６】
0006774961.tif 000009
【図７】
0006774961.tif 000010
【図８】
0006774961.tif 000011
【図９】
0006774961.tif 000012
【図１０】
0006774961.tif 000013
【図１１】
0006774961.tif 000014
【図１２】
0006774961.tif 000015